(57)【要約】【課題】携帯通信機器を多様に使用することができる携帯通信機器連携システム、主携帯通信機器、及び、従携帯通信機器を提供することを目的とする。【解決手段】携帯通信機器連携システムは、主携帯通信機器と相互に通信可能な従携帯通信機器３０を備える。そして、従携帯通信機器３０が有する従側記憶部３８の複数の従側スロット３８Ｓは、それぞれ、主携帯通信機器に設けられた主側スロットから転送された従アプリケーションプログラムを記憶する。この従アプリケーションプログラムは、主アプリケーションプログラムの一部の情報を含んで構成され、従携帯通信機器３０の従側制御部３９によって実行されることで従携帯通信機器３０を動作させる。この結果、携帯通信機器連携システム、主携帯通信機器、及び、従携帯通信機器は、従携帯通信機器３０を多様に使用することができる、という効果を奏する。【選択図】図４
2020010312.tif 000002
【特許請求の範囲】
【請求項１】
外部と通信可能である主側通信部、それぞれアプリケーションプログラムを記憶可能である複数の主側スロットを含む主側記憶部、及び、前記主側記憶部に記憶されたアプリケーションプログラムを実行する主側制御部を有する主携帯通信機器と、
外部と通信可能である従側通信部、それぞれアプリケーションプログラムを記憶可能である複数の従側スロットを含む従側記憶部、及び、前記従側記憶部に記憶された前記アプリケーションプログラムを実行する従側制御部を有する従携帯通信機器とを備え、
前記複数の主側スロットは、それぞれ、前記主側制御部及び前記従側制御部によって実行されることで当該主携帯通信機器と当該従携帯通信機器とを連携して動作させる主アプリケーションプログラムを記憶し、
前記複数の従側スロットは、それぞれ、対応する前記主側スロットから前記主側通信部及び前記従側通信部を介して転送された従アプリケーションプログラムであって、前記主アプリケーションプログラムの一部の情報を含んで構成され前記従側制御部によって実行されることで前記従携帯通信機器を動作させる従アプリケーションプログラムを記憶することを特徴とする、
携帯通信機器連携システム。
【請求項２】
前記主携帯通信機器、又は、前記従携帯通信機器は、前記複数の従側スロットにそれぞれ記憶された前記従アプリケーションプログラムのうち前記従側制御部によって実行する前記従アプリケーションプログラムを切り替える操作を受け付ける切替操作部を有する、
請求項１に記載の携帯通信機器連携システム。
【請求項３】
前記主側制御部、及び、前記従側制御部は、予め設定された切替条件に応じて、前記複数の主側スロットに記憶させる前記主アプリケーションプログラムの組み合わせ、及び、前記複数の従側スロットに記憶させる前記従アプリケーションプログラムの組み合わせを切り替える、
請求項１又は請求項２に記載の携帯通信機器連携システム。
【請求項４】
前記複数の従側スロットは、予め他の前記従側スロットとは区別されて設定された基準スロットを含む、
請求項１乃至請求項３のいずれか１項に記載の携帯通信機器連携システム。
【請求項５】
前記基準スロットは、前記従携帯通信機器に時刻を表示させる前記従アプリケーションプログラムを記憶する、
請求項４に記載の携帯通信機器連携システム。
【請求項６】
前記基準スロットは、前記他の従側スロットに記憶されている前記従アプリケーションプログラムに応じた動作が終了した場合、前記従側制御部によっていずれの前記従アプリケーションプログラムも実行されていない場合、前記従側通信部を介した外部との通信が不能な場合、前記従側通信部を介した外部との通信が不能な状態から復帰した場合、前記他の従側スロットに前記従アプリケーションプログラムが記憶されていない場合、又は、前記従携帯通信機器の電源電力が予め設定された閾値以下となった場合に、前記従側制御部によって選択され、当該基準スロットに記憶されている前記従アプリケーションプログラムが実行される、
請求項４又は請求項５に記載の携帯通信機器連携システム。
【請求項７】
前記従携帯通信機器は、人体に装着可能なウェアラブル機器である、
請求項１乃至請求項６のいずれか１項に記載の携帯通信機器連携システム。
【請求項８】
前記従携帯通信機器は、指針によって時刻を表示する電子時計である、
請求項１乃至請求項７のいずれか１項に記載の携帯通信機器連携システム。
【請求項９】
複数の前記主アプリケーションプログラムを記憶する外部機器を備え、
前記主携帯通信機器は、前記外部機器から前記主側通信部を介して前記主アプリケーションプログラムをダウンロード可能である、
請求項１乃至請求項８のいずれか１項に記載の携帯通信機器連携システム。
【請求項１０】
前記主アプリケーションプログラムは、サービスの内容に応じて出力する出力情報を規定するサービスブロックプログラムと、前記出力情報を出力するためのアクションを発動するトリガの内容と当該トリガを生成するトリガ生成部とを規定し前記トリガ生成部に前記トリガを生成させるトリガブロックプログラムと、前記出力情報を出力するための前記アクションの内容と当該アクションを実行するアクション実行部とを規定し前記アクション実行部に前記アクションを実行させるアクションブロックプログラムとによって構成され、
前記従アプリケーションプログラムは、前記サービスブロックプログラム、前記トリガブロックプログラム、又は、前記アクションブロックプログラムの少なくとも一部を含む、
請求項１乃至請求項９のいずれか１項に記載の携帯通信機器連携システム。
【請求項１１】
前記主側制御部は、前記主携帯通信機器と前記従携帯通信機器とが前記主側通信部及び前記従側通信部を介して通信不能な状態で、前記主側スロットに前記主アプリケーションプログラムが格納された場合、前記主携帯通信機器と前記従携帯通信機器とが前記主側通信部及び前記従側通信部を介して通信可能となった際に、前記通信不能な状態で前記主側スロットに格納された前記主アプリケーションプログラムに応じた前記従アプリケーションプログラムを一括で前記従携帯通信機器に送信する、
請求項１乃至請求項１０のいずれか１項に記載の携帯通信機器連携システム。
【請求項１２】
前記主携帯通信機器は、前記主側制御部によって制御され画像を表示可能である表示部を有し、
前記表示部は、前記複数の従側スロットにそれぞれ記憶された前記従アプリケーションプログラムのうち前記従側制御部によって実行する前記従アプリケーションプログラムとして現在選択されている前記従アプリケーションプログラムを記憶する前記従側スロットを表す選択スロット画像を表示可能であり、
前記選択スロット画像は、前記複数の従側スロットのうち前記基準スロット以外の前記従側スロットを表すスロット画像、及び、指針を表す指針画像を含み、
前記主側制御部は、現在選択されている前記従アプリケーションプログラムを記憶する前記従側スロットが前記基準スロット以外の前記従側スロットである場合、前記表示部に前記選択スロット画像を表示させ、前記指針画像によって対応する前記スロット画像を指し示し、現在選択されている前記従アプリケーションプログラムを記憶する前記従側スロットが前記基準スロットである場合、前記表示部に前記選択スロット画像を表示させ、前記指針画像によって前記スロット画像以外を指し示す、
請求項４に記載の携帯通信機器連携システム。
【請求項１３】
前記主携帯通信機器は、前記主側制御部によって制御され画像を表示可能である表示部を有し、
前記表示部は、前記複数の従側スロットにそれぞれ記憶された前記従アプリケーションプログラムのうち前記従側制御部によって実行する前記従アプリケーションプログラムとして現在選択されている前記従アプリケーションプログラムを記憶する前記従側スロットを表す選択スロット画像を表示可能であり、
前記主側制御部は、前記主携帯通信機器と前記従携帯通信機器とが前記主側通信部及び前記従側通信部を介して通信可能な状態である場合、前記表示部に前記選択スロット画像を表示させ、前記主携帯通信機器と前記従携帯通信機器とが前記主側通信部及び前記従側通信部を介して通信不能な状態である場合、前記表示部に前記選択スロット画像を表示させない、
請求項１乃至請求項１２のいずれか１項に記載の携帯通信機器連携システム。
【請求項１４】
外部と通信可能である従側通信部、それぞれアプリケーションプログラムを記憶可能である複数の従側スロットを含む従側記憶部、及び、前記従側記憶部に記憶された前記アプリケーションプログラムを実行する従側制御部を有する従携帯通信機器と通信可能である主側通信部と、
それぞれアプリケーションプログラムを記憶可能である複数の主側スロットを含む主側記憶部と、
前記主側記憶部に記憶されたアプリケーションプログラムを実行する主側制御部とを有し、
前記複数の主側スロットは、それぞれ、前記主側制御部及び前記従側制御部によって実行される主アプリケーションプログラムを記憶し、
前記主側通信部は、前記主側スロットにそれぞれ記憶された前記主アプリケーションプログラムの一部の情報を含んで構成され前記従側制御部によって実行されることで前記従携帯通信機器を動作させる従アプリケーションプログラムを当該従携帯通信機器に転送し、対応する前記複数の従側スロットに、前記転送した前記従アプリケーションプログラムをそれぞれ記憶させることを特徴とする、
主携帯通信機器。
【請求項１５】
外部と通信可能である主側通信部、それぞれアプリケーションプログラムを記憶可能である複数の主側スロットを含む主側記憶部、及び、前記主側記憶部に記憶されたアプリケーションプログラムを実行する主側制御部を有する主携帯通信機器と通信可能である従側通信部と、
それぞれアプリケーションプログラムを記憶可能である複数の従側スロットを含む従側記憶部と、
前記従側記憶部に記憶された前記アプリケーションプログラムを実行する従側制御部を有し、
前記複数の従側スロットは、それぞれ、対応する前記主側スロットから前記主側通信部及び前記従側通信部を介して転送された従アプリケーションプログラムであって、前記複数の主側スロットにそれぞれ記憶され前記主側制御部及び前記従側制御部によって実行される主アプリケーションプログラムの一部の情報を含んで構成され前記従側制御部によって実行される従アプリケーションプログラムを記憶することを特徴とする、
従携帯通信機器。
【発明の詳細な説明】
【技術分野】
【０００１】
本発明は、携帯通信機器連携システム、主携帯通信機器、及び、従携帯通信機器に関する。
【背景技術】
【０００２】
従来の携帯通信機器連携システムとして、例えば、特許文献１には、携帯通信機器を構成する時計の機能を、外部機器から取得した情報に基づいて変更し得るシステムが記載されている。
【先行技術文献】
【特許文献】
【０００３】
【特許文献１】再公表ＷＯ２００１／００６３２９号公報
【発明の概要】
【発明が解決しようとする課題】
【０００４】
ところで、上述の特許文献１に記載のシステムは、例えば、時計をより多様に使用することができることが望まれている。
【０００５】
本発明は、上記の事情に鑑みてなされたものであって、携帯通信機器を多様に使用することができる携帯通信機器連携システム、主携帯通信機器、及び、従携帯通信機器を提供することを目的とする。
【課題を解決するための手段】
【０００６】
上記目的を達成するために、本発明に係る携帯通信機器連携システムは、外部と通信可能である主側通信部、それぞれアプリケーションプログラムを記憶可能である複数の主側スロットを含む主側記憶部、及び、前記主側記憶部に記憶されたアプリケーションプログラムを実行する主側制御部を有する主携帯通信機器と、外部と通信可能である従側通信部、それぞれアプリケーションプログラムを記憶可能である複数の従側スロットを含む従側記憶部、及び、前記従側記憶部に記憶された前記アプリケーションプログラムを実行する従側制御部を有する従携帯通信機器とを備え、前記複数の主側スロットは、それぞれ、前記主側制御部及び前記従側制御部によって実行されることで当該主携帯通信機器と当該従携帯通信機器とを連携して動作させる主アプリケーションプログラムを記憶し、前記複数の従側スロットは、それぞれ、対応する前記主側スロットから前記主側通信部及び前記従側通信部を介して転送された従アプリケーションプログラムであって、前記主アプリケーションプログラムの一部の情報を含んで構成され前記従側制御部によって実行されることで前記従携帯通信機器を動作させる従アプリケーションプログラムを記憶することを特徴とする。
【０００７】
また、上記携帯通信機器連携システムでは、前記主携帯通信機器、又は、前記従携帯通信機器は、前記複数の従側スロットにそれぞれ記憶された前記従アプリケーションプログラムのうち前記従側制御部によって実行する前記従アプリケーションプログラムを切り替える操作を受け付ける切替操作部を有するものとすることができる。
【０００８】
また、上記携帯通信機器連携システムでは、前記主側制御部、及び、前記従側制御部は、予め設定された切替条件に応じて、前記複数の主側スロットに記憶させる前記主アプリケーションプログラムの組み合わせ、及び、前記複数の従側スロットに記憶させる前記従アプリケーションプログラムの組み合わせを切り替えるものとすることができる。
【０００９】
また、上記携帯通信機器連携システムでは、前記複数の従側スロットは、予め他の前記従側スロットとは区別されて設定された基準スロットを含むものとすることができる。
【００１０】
また、上記携帯通信機器連携システムでは、前記基準スロットは、前記従携帯通信機器に時刻を表示させる前記従アプリケーションプログラムを記憶するものとすることができる。
【００１１】
また、上記携帯通信機器連携システムでは、前記基準スロットは、前記他の従側スロットに記憶されている前記従アプリケーションプログラムに応じた動作が終了した場合、前記従側制御部によっていずれの前記従アプリケーションプログラムも実行されていない場合、前記従側通信部を介した外部との通信が不能な場合、前記従側通信部を介した外部との通信が不能な状態から復帰した場合、前記他の従側スロットに前記従アプリケーションプログラムが記憶されていない場合、又は、前記従携帯通信機器の電源電力が予め設定された閾値以下となった場合に、前記従側制御部によって選択され、当該基準スロットに記憶されている前記従アプリケーションプログラムが実行されるものとすることができる。
【００１２】
また、上記携帯通信機器連携システムでは、前記従携帯通信機器は、人体に装着可能なウェアラブル機器であるものとすることができる。
【００１３】
また、上記携帯通信機器連携システムでは、前記従携帯通信機器は、指針によって時刻を表示する電子時計であるものとすることができる。
【００１４】
また、上記携帯通信機器連携システムでは、複数の前記主アプリケーションプログラムを記憶する外部機器を備え、前記主携帯通信機器は、前記外部機器から前記主側通信部を介して前記主アプリケーションプログラムをダウンロード可能であるものとすることができる。
【００１５】
また、上記携帯通信機器連携システムでは、前記主アプリケーションプログラムは、サービスの内容に応じて出力する出力情報を規定するサービスブロックプログラムと、前記出力情報を出力するためのアクションを発動するトリガの内容と当該トリガを生成するトリガ生成部とを規定し前記トリガ生成部に前記トリガを生成させるトリガブロックプログラムと、前記出力情報を出力するための前記アクションの内容と当該アクションを実行するアクション実行部とを規定し前記アクション実行部に前記アクションを実行させるアクションブロックプログラムとによって構成され、前記従アプリケーションプログラムは、前記サービスブロックプログラム、前記トリガブロックプログラム、又は、前記アクションブロックプログラムの少なくとも一部を含むものとすることができる。
【００１６】
また、上記携帯通信機器連携システムでは、前記主側制御部は、前記主携帯通信機器と前記従携帯通信機器とが前記主側通信部及び前記従側通信部を介して通信不能な状態で、前記主側スロットに前記主アプリケーションプログラムが格納された場合、前記主携帯通信機器と前記従携帯通信機器とが前記主側通信部及び前記従側通信部を介して通信可能となった際に、前記通信不能な状態で前記主側スロットに格納された前記主アプリケーションプログラムに応じた前記従アプリケーションプログラムを一括で前記従携帯通信機器に送信するものとすることができる。
【００１７】
また、上記携帯通信機器連携システムでは、前記主携帯通信機器は、前記主側制御部によって制御され画像を表示可能である表示部を有し、前記表示部は、前記複数の従側スロットにそれぞれ記憶された前記従アプリケーションプログラムのうち前記従側制御部によって実行する前記従アプリケーションプログラムとして現在選択されている前記従アプリケーションプログラムを記憶する前記従側スロットを表す選択スロット画像を表示可能であり、前記選択スロット画像は、前記複数の従側スロットのうち前記基準スロット以外の前記従側スロットを表すスロット画像、及び、指針を表す指針画像を含み、前記主側制御部は、現在選択されている前記従アプリケーションプログラムを記憶する前記従側スロットが前記基準スロット以外の前記従側スロットである場合、前記表示部に前記選択スロット画像を表示させ、前記指針画像によって対応する前記スロット画像を指し示し、現在選択されている前記従アプリケーションプログラムを記憶する前記従側スロットが前記基準スロットである場合、前記表示部に前記選択スロット画像を表示させ、前記指針画像によって前記スロット画像以外を指し示すものとすることができる。
【００１８】
また、上記携帯通信機器連携システムでは、前記主携帯通信機器は、前記主側制御部によって制御され画像を表示可能である表示部を有し、前記表示部は、前記複数の従側スロットにそれぞれ記憶された前記従アプリケーションプログラムのうち前記従側制御部によって実行する前記従アプリケーションプログラムとして現在選択されている前記従アプリケーションプログラムを記憶する前記従側スロットを表す選択スロット画像を表示可能であり、前記主側制御部は、前記主携帯通信機器と前記従携帯通信機器とが前記主側通信部及び前記従側通信部を介して通信可能な状態である場合、前記表示部に前記選択スロット画像を表示させ、前記主携帯通信機器と前記従携帯通信機器とが前記主側通信部及び前記従側通信部を介して通信不能な状態である場合、前記表示部に前記選択スロット画像を表示させないものとすることができる。
【００１９】
上記目的を達成するために、本発明に係る主携帯通信機器は、外部と通信可能である従側通信部、それぞれアプリケーションプログラムを記憶可能である複数の従側スロットを含む従側記憶部、及び、前記従側記憶部に記憶された前記アプリケーションプログラムを実行する従側制御部を有する従携帯通信機器と通信可能である主側通信部と、それぞれアプリケーションプログラムを記憶可能である複数の主側スロットを含む主側記憶部と、前記主側記憶部に記憶されたアプリケーションプログラムを実行する主側制御部とを有し、前記複数の主側スロットは、それぞれ、前記主側制御部及び前記従側制御部によって実行される主アプリケーションプログラムを記憶し、前記主側通信部は、前記主側スロットにそれぞれ記憶された前記主アプリケーションプログラムの一部の情報を含んで構成され前記従側制御部によって実行されることで前記従携帯通信機器を動作させる従アプリケーションプログラムを当該従携帯通信機器に転送し、対応する前記複数の従側スロットに、前記転送した前記従アプリケーションプログラムをそれぞれ記憶させることを特徴とする。
【００２０】
上記目的を達成するために、本発明に係る従携帯通信機器は、外部と通信可能である主側通信部、それぞれアプリケーションプログラムを記憶可能である複数の主側スロットを含む主側記憶部、及び、前記主側記憶部に記憶されたアプリケーションプログラムを実行する主側制御部を有する主携帯通信機器と通信可能である従側通信部と、それぞれアプリケーションプログラムを記憶可能である複数の従側スロットを含む従側記憶部と、前記従側記憶部に記憶された前記アプリケーションプログラムを実行する従側制御部を有し、前記複数の従側スロットは、それぞれ、対応する前記主側スロットから前記主側通信部及び前記従側通信部を介して転送された従アプリケーションプログラムであって、前記複数の主側スロットにそれぞれ記憶され前記主側制御部及び前記従側制御部によって実行される主アプリケーションプログラムの一部の情報を含んで構成され前記従側制御部によって実行される従アプリケーションプログラムを記憶することを特徴とする。
【発明の効果】
【００２１】
本発明に係る携帯通信機器連携システムは、主側通信部、及び、従側通信部を介して相互に通信可能である主携帯通信機器と従携帯通信機器とを備える。主携帯通信機器は、主側記憶部の複数の主側スロットに、それぞれ主アプリケーションプログラムを記憶する。各主アプリケーションプログラムは、主側制御部及び従側制御部によって実行されることで当該主携帯通信機器と当該従携帯通信機器とを連携して動作させる。そして、従携帯通信機器は、従側記憶部の複数の従側スロットに、それぞれ対応する主側スロットから主側通信部及び従側通信部を介して転送された従アプリケーションプログラムを記憶する。各従アプリケーションプログラムは、対応する主アプリケーションプログラムの一部を構成し従側制御部によって実行されることで従携帯通信機器を動作させる。この結果、携帯通信機器連携システム、主携帯通信機器、及び、従携帯通信機器は、携帯通信機器を多様に使用することができる、という効果を奏する。
【図面の簡単な説明】
【００２２】
【図１】図１は、実施形態に係る携帯通信機器連携システムの概略構成を表すブロック図である。
【図２】図２は、実施形態に係る携帯通信機器連携システムが備える主携帯通信機器の概略構成を表すブロック図である。
【図３】図３は、実施形態に係る携帯通信機器連携システムが備える従携帯通信機器を構成する電子時計を示す正面図である。
【図４】図４は、実施形態に係る携帯通信機器連携システムが備える従携帯通信機器の概略構成を表すブロック図である。
【図５】図５は、実施形態に係る携帯通信機器連携システムにおけるアプレットの選択画面の一例を表す模式図である。
【図６】図６は、実施形態に係る携帯通信機器連携システムが備える従携帯通信機器（電子時計）におけるフライトモードの選択表示態様の一例を示す正面図である。
【図７】図７は、変形例に係る携帯通信機器連携システムにおけるアプレットの選択画面の一例を表す模式図である。
【図８】図８は、変形例に係る携帯通信機器連携システムにおけるアプレットの選択画面の一例を表す模式図である。
【図９】図９は、変形例に係る携帯通信機器連携システムにおけるアプレットの選択画面の一例を表す模式図である。
【図１０】図１０は、変形例に係る携帯通信機器連携システムにおけるアプレットの選択画面の一部を表す模式図である。
【図１１】図１１は、変形例に係る携帯通信機器連携システムにおけるアプレットの選択画面の一部を表す模式図である。
【図１２】図１２は、変形例に係る携帯通信機器連携システムにおけるアプレットの選択画面の一部を表す模式図である。
【発明を実施するための形態】
【００２３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２４】
［実施形態］
＜携帯通信機器連携システムの概要＞
図１に示す本実施形態の携帯通信機器連携システムＳ１は、外部機器１０と、主携帯通信機器２０と、従携帯通信機器３０とを備え、これらが相互に通信し連携することで、従携帯通信機器３０を多様に使用することができるシステムである。典型的には、主携帯通信機器２０は、ネットワークＮを介して外部機器１０と相互に通信を行う主たる通信端末を構成する。一方、従携帯通信機器３０は、近距離無線通信を介して主携帯通信機器２０と相互に通信を行う従たる通信端末を構成する。ネットワークＮは、Ｗｉ−Ｆｉ（登録商標）、４Ｇ、５Ｇ等を用いた無線通信、通信線を用いた有線通信を問わず任意の通信網によって構成され、外部機器１０と主携帯通信機器２０とを通信可能に接続する。近距離無線通信の方式は、例えば、Ｂｌｕｅｔｏｏｔｈ（登録商標）、Ｗ−ＬＡＮ、Ｗｉ−Ｆｉ（登録商標）、ＮＦＣ（Ｎｅａｒ  Ｆｉｅｌｄ  Ｃｏｍｍｕｎｉｃａｔｉｏｎ）等である。ただし、従携帯通信機器３０は、近距離無線通信に限らずネットワークＮを介して外部機器１０、主携帯通信機器２０と相互に通信可能な構成であってもよい。以下、各図を参照して携帯通信機器連携システムＳ１の各構成について詳細に説明する。
【００２５】
＜外部機器の基本構成＞
外部機器１０は、ネットワークＮ上に実装されるクラウドサービス機器（クラウドサーバ）を構成するものである。外部機器１０は、ＣＰＵ等の中央演算処理装置を含む周知のマイクロコンピュータを主体とする電子回路、各種記憶装置等を含んで構成される。外部機器１０は、主携帯通信機器２０にダウンロード可能な複数のアプリケーションプログラムを記憶している。外部機器１０は、既知のＰＣやワークステーションなどのコンピュータシステムに種々の処理を実現させるプログラムをインストールすることで構成することもできる。
【００２６】
＜主携帯通信機器の基本構成＞
主携帯通信機器２０は、ユーザが携帯可能な電子機器である。主携帯通信機器２０は、外部機器１０と相互に通信し連携することで当該外部機器１０から様々なサービスを受けることができる。主携帯通信機器２０は、例えば、スマートフォン、タブレット型ＰＣ、ノート型ＰＣ、ＰＤＡ等によって構成することができる。
【００２７】
具体的には、主携帯通信機器２０は、図２に示すように、電源部２１と、主側通信部としての通信部２２と、入力部２３と、検出部２４と、出力部２５と、主側記憶部としての記憶部２６と、主側制御部としての制御部２７とを有する。
【００２８】
電源部２１は、主携帯通信機器２０の電力源である。電源部２１は、リチウムイオン電池等の充放電可能な二次電池等を含んで構成され、主携帯通信機器２０内の各部に対して電力を供給する。
【００２９】
通信部２２は、主携帯通信機器２０の外部と通信可能な通信モジュールである。通信部２２は、無線通信、有線通信を問わずネットワークＮと通信可能に接続され、当該ネットワークＮを介して外部機器１０と通信を行う。また、通信部２２は、近距離無線通信を介して従携帯通信機器３０との通信も行う。
【００３０】
入力部２３は、主携帯通信機器２０に対する種々の入力を受け付ける部分である。入力部２３は、例えば、主携帯通信機器２０に対する操作入力を受け付けるタッチパネル、操作ボタン等を含んで構成される。また、入力部２３は、例えば、主携帯通信機器２０に対する音声入力を受け付ける音声入力装置を含んで構成されてもよい。
【００３１】
検出部２４は、主携帯通信機器２０において種々の情報を検出する検出器である。検出部２４は、例えば、主携帯通信機器２０に作用する加速度を検出する加速度センサ、主携帯通信機器２０に照射される光の照度を検出する照度センサ、主携帯通信機器２０近傍の温度を検出する温度センサ、電源部２１の電源電圧等を検出する電圧センサ、主携帯通信機器２０の現在位置を測定する測位器等を含んで構成される。
【００３２】
出力部２５は、主携帯通信機器２０において種々の出力を行う部分である。出力部２５は、例えば、画像情報を出力するディスプレイ、視覚情報を出力する表示灯、音情報を出力するスピーカ／アラームブザー、振動情報を出力するバイブレータ等を含んで構成される。
【００３３】
記憶部２６は、主携帯通信機器２０に内蔵されるＲＯＭ、ＲＡＭ、半導体メモリ等の記憶装置である。記憶部２６は、主携帯通信機器２０での各種処理に必要な条件や情報、主携帯通信機器２０で実行する各種アプリケーションプログラム、制御データ等が格納されている。また、記憶部２６は、通信部２２によって受信された各種情報、入力部２３によって入力された各種情報、検出部２４によって検出された各種情報、出力部２５によって出力される各種情報等を記憶することができる。記憶部２６は、制御部２７等によってこれらの情報が必要に応じて読み出される。そして、本実施形態の記憶部２６は、それぞれ個別にアプリケーションプログラムを記憶するために分割された記憶領域として、複数の主側スロット２６Ｓを含んで構成される。当該複数の主側スロット２６Ｓについては、後で詳細に説明する。
【００３４】
制御部２７は、主携帯通信機器２０の各部と電気的に接続され、主携帯通信機器２０の各部を統括的に制御するものである。制御部２７は、ＣＰＵ等の中央演算処理装置を含む周知のマイクロコンピュータを主体とする電子回路を含んで構成される。制御部２７は、主携帯通信機器２０の各部と通信可能に接続され、各部との間で相互に各種信号を授受可能である。制御部２７は、記憶部２６に記憶されている各種アプリケーションプログラムを実行し、当該プログラムが動作することにより主携帯通信機器２０の各部を動作させ各種機能を実現するための種々の処理を実行する。
【００３５】
＜従携帯通信機器（電子時計）の基本構成＞
次に、従携帯通信機器３０について説明する。従携帯通信機器３０は、主携帯通信機器２０と同様に、ユーザが携帯可能な電子機器である。従携帯通信機器３０は、主携帯通信機器２０と相互に通信し連携することで当該主携帯通信機器２０と共に様々なサービスを受けることができる。従携帯通信機器３０は、例えば、スマートフォン、タブレット型ＰＣ、ノート型ＰＣ、ＰＤＡ等によって構成することができるが、ここでは、主携帯通信機器２０より小型で、かつ、人体に装着可能なウェアラブル機器によって構成されることが好ましい。
【００３６】
本実施形態の従携帯通信機器３０は、ウェアラブル機器の一例として、図３に示すような電子時計３０Ａによって構成されるものとして説明する。本実施形態の電子時計３０Ａは、外装ケース１に連結されたベルト２を介して腕に装着される腕時計である。そして、電子時計３０Ａは、外装ケース１に収容された物理的な指針３によって、文字板４のインデックス（目盛）４ａを指し示すことで時刻を表示するアナログ電子時計（アナログクオーツ時計）である。なお、当該電子時計３０Ａは、アナログ指針表示と共に一部にデジタル表示を含むコンビネーション電子時計（コンビネーションクオーツ時計）であってもよい。また、電子時計３０Ａは、文字板４の日窓４ｂから一部が露出する日板５によって暦を表示する。電子時計３０Ａは、文字板４に対する指針３、日板５の相対的な位置関係に応じて時刻、日付を表示することができる。ここでは、電子時計３０Ａは、複数の指針３として、秒針３ａ、分針３ｂ、時針３ｃ、及び、小針３ｄを含んで構成される。秒針３ａ、分針３ｂ、及び、時針３ｃは、同軸上に配置されており、中心軸線Ｘ１を回転中心として回転駆動し、それぞれ、秒、分、時を表示する。小針３ｄは、中心軸線Ｘ１とは異なる回転軸線Ｘ２を回転中心として回転駆動し、文字板４内においてレジスタ（計機）６の機能針を構成する。また、電子時計３０Ａは、外装ケース１の外周面から突出してリューズ７、プッシュボタン８Ａ、８Ｂが設けられている。電子時計３０Ａは、リューズ７に対する引き出し・回転操作やプッシュボタン８Ａ、８Ｂに対する押下操作に応じて外装ケース１内の各部が連動し種々の操作を受け付ける。
【００３７】
より具体的には、従携帯通信機器３０（電子時計３０Ａ）は、図４に示すように、電源部３１と、従側通信部としての通信部３２と、計時部３３と、駆動部３４と、操作部３５と、検出部３６と、出力部３７と、従側記憶部としての記憶部３８と、従側制御部としての制御部３９とを有する。
【００３８】
電源部３１は、従携帯通信機器３０の電力源である。電源部３１は、リチウムイオン電池等の充放電可能な二次電池やソーラーセル等の電力を発電可能な発電素子を含んで構成され、電子時計３０Ａ内の各部に対して電力を供給する。
【００３９】
通信部３２は、従携帯通信機器３０の外部と通信可能な通信モジュールである。通信部３２は、近距離無線通信を介して主携帯通信機器２０と通信を行う。なお、通信部２２は、無線通信、有線通信を問わずネットワークＮと通信可能に接続され、当該ネットワークＮを介して外部機器１０、主携帯通信機器２０と通信を行う構成であってもよい。
【００４０】
計時部３３は、指針３によって表示させる時刻（時計内部時刻）を計時する回路である。計時部３３は、例えば、発振器、発振回路、補償回路、分周回路等を含んで構成され、電子時計３０Ａの内部での計時の基準となる所定の周波数を有するクロック信号を生成し、当該クロック信号に含まれるパルスをカウントすることで計時する。
【００４１】
駆動部３４は、指針３、日板５を回転駆動する回路である。駆動部３４は、電源部３１から供給される電力によってモータ（例えば、ステッピングモータ）３４ａを動作させる。モータ３４ａが発生させた回転力は、輪列等を介して指針３、日板５に伝達され、当該指針３、日板５が回転駆動する。モータ３４ａは、複数の指針３、日板５に対して個別に設けられてもよいし、いくつかの指針３、日板５で兼用されてもよい。
【００４２】
操作部３５は、従携帯通信機器３０に対する種々の外部操作を受け付ける部分である。操作部３５は、上述したリューズ７、プッシュボタン８Ａ、８Ｂ等によって構成される。操作部３５は、この他、レジスタリング等を含んで構成されてもよい。
【００４３】
検出部３６は、従携帯通信機器３０において種々の情報を検出する検出器である。検出部３６は、例えば、従携帯通信機器３０に作用する加速度を検出する加速度センサ、従携帯通信機器３０に照射される光の照度を検出する照度センサ、従携帯通信機器３０近傍の温度を検出する温度センサ、電源部３１の電源電圧や発電の有無を検出する電圧センサ、従携帯通信機器３０の現在位置を測定する測位器等を含んで構成される。
【００４４】
出力部３７は、従携帯通信機器３０において時刻や日付以外の種々の出力を行う部分である。出力部３７は、例えば、視覚情報を出力する表示灯、音情報を出力するスピーカ／アラームブザー、振動情報を出力するバイブレータ等を含んで構成される。なお、出力部３７は、電子時計３０Ａがデジタル電子時計（デジタルクオーツ時計）、あるいは一部にアナログ指針表示とデジタル表示を含む電子時計である場合には、物理的な指針３、日板５にかえて、デジタル式で時刻や日付、機能選択を含む画像情報を出力するディスプレイを含んで構成されてもよい。
【００４５】
記憶部３８は、従携帯通信機器３０に内蔵されるＲＯＭ、ＲＡＭ、半導体メモリ等の記憶装置である。記憶部３８は、従携帯通信機器３０での各種処理に必要な条件や情報、主携帯通信機器２０で実行する各種アプリケーションプログラム、制御データ等が格納されている。また、記憶部３８は、通信部３２によって受信された各種情報、計時部３３によって計時された計時情報、検出部３６によって検出された各種情報、出力部３７によって出力される各種情報等を記憶することができる。記憶部３８は、制御部３９等によってこれらの情報が必要に応じて読み出される。典型的には、記憶部３８は、上述した主携帯通信機器２０の記憶部２６と比較して記憶容量が相対的に小さい。そして、本実施形態の記憶部３８は、それぞれ個別にアプリケーションプログラムを記憶するために分割された記憶領域として、複数の従側スロット３８Ｓを含んで構成される。当該複数の従側スロット３８Ｓについては、後で詳細に説明する。
【００４６】
制御部３９は、従携帯通信機器３０の各部と電気的に接続され、従携帯通信機器３０の各部を統括的に制御するものである。制御部３９は、ＣＰＵ等の中央演算処理装置を含む周知のマイクロコンピュータを主体とする電子回路を含んで構成される。制御部３９は、従携帯通信機器３０の各部と通信可能に接続され、各部との間で相互に各種信号を授受可能である。制御部３９は、記憶部３８に記憶されている各種アプリケーションプログラムを実行し、当該プログラムが動作することにより従携帯通信機器３０の各部を動作させ各種機能を実現するための種々の処理を実行する。制御部３９は、例えば、計時部３３によって計時した時刻に基づいて駆動部３４によってモータ３４ａを制御し、指針３、日板５を回転させ運針し、計時された時刻を、現在時刻として指針３、日板５に表示させる処理を実行する。また、制御部３９は、例えば、ユーザが操作部３５（リューズ７、プッシュボタン８Ａ、８Ｂ）に対して行った操作内容に応じて各種処理を実行する。また、制御部３９は、例えば、検出部３６を構成する電圧センサによって検出された電源電圧に基づいて動作モードを切り替える処理を実行する。例えば、制御部３９は、電源電圧が相対的に低下した場合や一定期間に渡って発電がない場合、秒針３ａの動作を止め、通信部３２の通信を制限することで、消費電力を抑制するパワーセーブ（節電）モードを実行することができる。そして、制御部３９は、パワーセーブモードの状態からさらに電源電圧が低下した場合には電源部３１を遮断しパワーブレーク（電源遮断）モードを実行することができる。
【００４７】
＜主側スロット、従側スロットの基本構成＞
そして、本実施形態の主携帯通信機器２０と従携帯通信機器３０とは、図２に示す複数の主側スロット２６Ｓと図４に示す複数の従側スロット３８Ｓとが相互に連携することで、従携帯通信機器３０を多様に使用することが可能な構成を実現している。
【００４８】
具体的には、複数の主側スロット２６Ｓは、上述したように、記憶部２６においてそれぞれ個別にアプリケーションプログラムを記憶するために分割された記憶領域である。同様に、複数の従側スロット３８Ｓは、上述したように、記憶部３８においてそれぞれ個別にアプリケーションプログラムを記憶するために分割された記憶領域である。そして、複数の主側スロット２６Ｓは、それぞれ、アプリケーションプログラムとして、主アプリケーションプログラムを記憶する。一方、複数の従側スロット３８Ｓは、それぞれ、アプリケーションプログラムとして、対応する主側スロット２６Ｓから通信部２２及び通信部３２を介して転送された従アプリケーションプログラムを記憶する。
【００４９】
各主側スロット２６Ｓに記憶される主アプリケーションプログラムは、制御部２７及び制御部３９によって実行されることで主携帯通信機器２０と従携帯通信機器３０とを連携して動作させるアプリケーションプログラムである。一方、各従側スロット３８Ｓに記憶される従アプリケーションプログラムは、対応する主側スロット２６Ｓに記憶された主アプリケーションプログラムの一部の情報を含んで構成され制御部３９によって実行されることで従携帯通信機器３０を動作させるアプリケーションプログラムである。以下、主アプリケーションプログラムを詳細に説明した後、従アプリケーションプログラムについて再度説明する。
【００５０】
＜主アプレット（主アプリケーションプログラム）の基本構成＞
主アプリケーションプログラムは、典型的には、主携帯通信機器２０のブラウザ等の他のアプリケーションプログラムの中に組み込まれて実行される比較的に小さなサイズのプログラムである。ここでは一例として、主アプリケーションプログラムは、ブラウザ上で実行されるアプレットであるものとして説明する。アプレットは、典型的には、シーケンスが決まっているアプリケーションプログラムという位置づけである。以下の説明では、主アプリケーションプログラムを「主アプレット」という場合がある。主アプレットは、制御部２７及び制御部３９によって実行されることで主携帯通信機器２０と従携帯通信機器３０とを連携して所定の動作を行わせる。
【００５１】
本実施形態の主アプレットは、一例として、サービスブロックプログラムと、トリガブロックプログラムと、アクションブロックプログラムとによって構成され、これら３つの要素が組み合わせられることで１つのアプレットが構築される。以下の説明では、サービスブロックプログラムを「サービスブロック」、トリガブロックプログラムを「トリガブロック」、アクションブロックプログラムを「アクションブロック」という場合がある。
【００５２】
サービスブロックとは、ユーザが望む目的に応じたサービス内容に応じて出力する出力情報を規定するプログラムである。言い換えれば、サービスブロックとは、サービス内容に応じて取得したい出力情報の内容を特定するプログラムである。
【００５３】
トリガブロックとは、サービス内容に応じた出力情報を出力するためのアクションを発動するトリガの内容と当該トリガを生成するトリガ生成部とを規定しトリガ生成部にトリガを生成させるプログラムである。ここで、トリガとは、サービスの内容に応じたアクションを発動させるためのきっかけであり、トリガ生成部によって生成される。トリガ生成部とは、主携帯通信機器２０又は従携帯通信機器３０に設けられ、トリガを生成するものである。主携帯通信機器２０、従携帯通信機器３０においてトリガ生成部を構成し得るもの（トリガ生成部候補）としては、一例として、主携帯通信機器２０の入力部２３、検出部２４、従携帯通信機器３０の計時部３３、操作部３５、検出部３６等が挙げられる。当該トリガ生成部によって生成されるトリガとしては、一例として、入力部２３を構成するタッチパネル、音声入力装置等に対する所定の入力、検出部２４、３６を構成する加速度センサ、照度センサ、温度センサ、電圧センサ、測位器等による所定の情報の検出、計時部３３による計時結果、操作部３５を構成するリューズ７、プッシュボタン８Ａ、８Ｂ等に対する所定の操作等が挙げられる。トリガブロックは、当該トリガブロックを含む主アプレットが制御部２７又は制御部３９によって実行されることで、当該トリガブロックによって規定されたトリガ生成部にトリガを生成させる。
【００５４】
アクションブロックとは、サービス内容に応じた出力情報を出力するためのアクションの内容と当該アクションを実行するアクション実行部とを規定しアクション実行部にアクションを実行させるプログラムである。ここで、アクションとは、主アプレットによって提供するサービスの内容に応じた動作であり、アクション実行部によって実行される。アクション実行部とは、主携帯通信機器２０又は従携帯通信機器３０に設けられ、アクションを実行するものである。主携帯通信機器２０、従携帯通信機器３０においてアクション実行部を構成し得るもの（アクション実行部候補）としては、一例として、主携帯通信機器２０の通信部２２、出力部２５、従携帯通信機器３０の指針３、日板５、通信部３２、駆動部３４、出力部３７等が挙げられる。当該アクション実行部によって実行されるアクションとしては、一例として、通信部２２、３２による外部への出力情報の出力、出力部２５、３７を構成するディスプレイ、表示灯、スピーカ／アラームブザー、バイブレータ等による出力情報の出力、指針３、日板５、駆動部３４による出力情報の表示等が挙げられる。アクションブロックは、当該アクションブロックを含む主アプレットが制御部２７又は制御部３９によって実行されることで、当該アクションブロックによって規定されたアクション実行部に出力情報を出力するためのアクションを実行させる。
【００５５】
上記のように構成される主アプレットは、上述したサービスブロックと、トリガブロックと、アクションブロックとを含み、サービスの内容に応じた出力情報とトリガとアクションとを関連付けて規定する。当該主アプレットは、制御部２７及び制御部３９によって実行されることで、主携帯通信機器２０又は従携帯通信機器３０のトリガ生成部が生成したトリガによって、主携帯通信機器２０又は従携帯通信機器３０のアクション実行部に、サービス内容に応じた出力情報を出力するアクションを実行させることができる。
【００５６】
＜主アプレットの具体例１＞
一例として、主アプレットによって提供するサービスの内容に応じた出力情報が「現在位置から最寄りのカフェの位置情報」であり、アクションを発動するトリガが「プッシュボタン８Ａの押下操作」であり、サービスの内容に応じた出力情報を出力するアクションが「出力部２５を構成するディスプレイによる最寄りのカフェの位置情報の表示」である場合を説明する。この場合、従携帯通信機器３０は、当該主アプレットが起動、実行された状態で、ユーザによってプッシュボタン８Ａ（トリガ生成部）が押下操作されると当該押下操作がトリガとなって、検出部３６の測位器によって検出された従携帯通信機器３０の現在位置情報を、通信部３２によって主携帯通信機器２０に送信する。そして、主携帯通信機器２０は、通信部２２によって従携帯通信機器３０の現在位置情報を受信すると、出力部２５を構成するディスプレイ（アクション実行部）によって現在位置から最寄りのカフェの位置情報を表示するアクションが実行される。なおこの場合、主携帯通信機器２０の制御部２７は、現在位置から最寄りのカフェの位置情報を、通信部２２を介して外部機器１０に問い合わせてもよいし、記憶部２６に記憶されている情報から読み出してもよい。
【００５７】
なお、当該具体例１は、変形例として、例えば、従携帯通信機器３０の出力部３７、従携帯通信機器３０が電子時計３０Ａである場合には指針３、駆動部３４等をアクション実行部とし、サービスの内容に応じた出力情報として、当該従携帯通信機器３０側で現在位置から最寄りのカフェまでの距離情報の出力等のアクションを実行するようにしてもよい。この場合、例えば、目的地（最寄りのカフェ）までの距離が所定の距離（例えば、１００ｍ〜３００ｍ程度）より短くなったら出力部３７を構成するスピーカ、ブザー、振動モータ（アクション実行部）によってアラームを出力するようにしてもよい。また例えば、目的地（最寄りのカフェ）までの距離が相対的に短くなるほど出力部３７を構成するスピーカ、ブザー、振動モータ（アクション実行部）によって出力するアラームの鳴動間隔を段階的に短くするようにしてもよい（例えば、目的地までの距離が２００ｍ以上３００ｍ以下である場合には５分間隔で鳴動させ、当該距離が１００ｍ以上２００ｍ以下である場合には１分間隔で鳴動させ、当該距離が１００ｍ以下となった場合には３０秒間隔で鳴動させる。）。また例えば、目的地（最寄りのカフェ）までの距離に応じて出力部３７を構成するスピーカ、ブザー、振動モータ（アクション実行部）によって出力するアラームの鳴動パターンを可変としてもよい（例えば、目的地までの距離が５０ｍ以上３００ｍ以下である場合には間欠鳴動とし、当該距離が５０ｍ以下となった場合には連続鳴動とする。）。さらには、上記３つのアラームパターンを適宜組み合わせてもよい。また、スピーカ、ブザー、振動モータによってアラームを出力するアクションにかえて、出力部３７を構成するバイブレータによって振動情報を出力するアクションを適用してもよい。
【００５８】
＜主アプレットの具体例２＞
また、他の一例として、主アプレットによって提供するサービスの内容に応じた出力情報が「歩数計機能に関する情報」であり、アクションを発動するトリガが「検出部３６を構成する加速度センサによる５０００歩の検出」であり、サービスの内容に応じた出力情報を出力するアクションが「出力部２５を構成するスピーカによる５０００歩達成を報知する音声情報の出力」である場合を説明する。この場合、従携帯通信機器３０は、当該主アプレットが起動、実行された状態で、検出部３６を構成する加速度センサ（トリガ生成部）によってユーザによる歩行の歩数計測を開始する。そして、従携帯通信機器３０は、当該加速度センサによってユーザによる５０００歩分の歩行が検出されると当該５０００歩分の歩行の検出がトリガとなって、５０００歩を達成した旨を表す５０００歩達成情報を通信部３２によって主携帯通信機器２０に送信する。そして、主携帯通信機器２０は、通信部２２によって５０００歩達成情報を受信すると、出力部２５を構成するスピーカ（アクション実行部）によって５０００歩達成を報知する音声情報を出力するアクションが実行される。
【００５９】
＜主アプレットの具体例３＞
さらに、他の一例として、主アプレットによって提供するサービスの内容に応じたすべてのトリガ、アクションが従携帯通信機器３０側で完結する場合を説明する。ここでは、主アプレットによって提供するサービスの内容に応じた出力情報が「スケジュールの管理に関する情報」であり、アクションを発動するトリガが「計時部３３によるイベントの開始予定時刻の５分前の計時」であり、サービスの内容に応じた出力情報を出力するアクションが「指針３による報知表示」である場合を説明する。この場合、従携帯通信機器３０は、当該主アプレットが起動、実行された状態で、主携帯通信機器２０の入力部２３等を介して予めイベントの開始予定時刻等が登録される。そして、従携帯通信機器３０は、計時部３３（トリガ生成部）によってイベントの開始予定時刻の５分前が計時されると、当該イベントの開始予定時刻の５分前の計時がトリガとなって、指針３（アクション実行部）によってイベントの開始予定時刻の５分前になったことを報知表示するアクション（例えば、秒針３ａが素早く複数回回転するアクション等）が実行される。
【００６０】
＜主アプレットの他の具体例＞
なお、１つの主アプレットにおいて、トリガブロックによって規定されるトリガと、アクションブロックによって規定されるアクションとの組み合わせは、少なくとも１組必要であるが、当該トリガと当該アクションとの組み合わせが複数組規定されていてもよい。例えば、主アプレットは、トリガブロックによって規定される複数のトリガと、アクションブロックによって規定される複数のアクションとが連鎖すように構成されてもよい。一例として、主アプレットは、例えば、検出部３６を構成する照度センサ（トリガ生成部）によって予め設定された所定照度以上の照度が検出されると、当該所定照度以上の照度の検出が第１トリガとなって検出部３６を構成する温度センサ（アクション実行部）によって温度を検出する第１アクションを実行させる。そしてさらに、主アプレットは、当該温度センサ（トリガ生成部）によって予め設定された所定温度以上の温度を検出すると、当該所定温度以上の温度の検出が第２トリガとなって出力部３７を構成する表示灯、アラームブザーによって警報を出力する第２アクションを実行させるように構成されてもよい。
【００６１】
＜主アプレットの入手＞
上記のように構成される主アプレットは、主携帯通信機器２０の複数の主側スロット２６Ｓにそれぞれ記憶される。例えば、上述した外部機器１０は、ユーザ自身や他のユーザ、事業者等によって作成、公開された複数の主アプレットを記憶している。主携帯通信機器２０は、入力部２３への入力、及び、制御部２７による制御に応じて、当該外部機器１０から通信部２２、ネットワークＮを介して当該主アプレットをダウンロード可能である。そして、主携帯通信機器２０は、外部機器１０からダウンロードした当該主アプレットを各主側スロット２６Ｓに格納する。また、主携帯通信機器２０は、ユーザ自身や他のユーザ、事業者等によって作成、公開された主アプレットが予め記憶された記憶媒体から当該主アプレットを読み込んで各主側スロット２６Ｓに格納してもよい。さらには、主携帯通信機器２０は、ユーザ自身が当該主携帯通信機器２０で、ソフトウェア開発キット等を利用して作成した主アプレットをそのまま各主側スロット２６Ｓに格納しておいてもよい。
【００６２】
＜主側スロットの詳細＞
本実施形態の複数の主側スロット２６Ｓは、図２に示すように、主側基準スロット２６ａと、主側第１スロット２６ｂと、主側第２スロット２６ｃと、主側第３スロット２６ｄとを含んで構成されており、典型的には、それぞれ異なる主アプレットを記憶している。ここで、主側基準スロット２６ａは、予め他の主側スロット２６Ｓ（主側第１スロット２６ｂ、主側第２スロット２６ｃ、主側第３スロット２６ｄ）とは区別されて設定されたスロットである。主側基準スロット２６ａは、典型的には、従携帯通信機器３０における基本的な機能を動作させる主アプレットを記憶する。例えば、電子時計３０Ａとして構成される本実施形態の従携帯通信機器３０の基本的な機能は、典型的には、時刻を表示させる機能である。したがってここでは、主側基準スロット２６ａは、従携帯通信機器３０に時刻を表示させる主アプレットを記憶する。なお、主側基準スロット２６ａには、時刻を表示させるアプレット以外のアプレットを記憶させることも可能である。
【００６３】
＜部分アプレット（従アプリケーションプログラム）の基本構成＞
そして、従アプリケーションプログラムは、上記のように構成される主アプレット（主アプリケーションプログラム）のうち、従携帯通信機器３０側で実行され従携帯通信機器３０に搭載された機能を動作させる部分的なプログラムである。以下の説明では、従アプリケーションプログラムを「部分アプレット」という場合がある。つまり、部分アプレットは、主アプレットの一部の情報を含んで構成されるものであり、例えば、上述の具体例を説明した主アプレットのうち、従携帯通信機器３０側で各部を動作させるための部分プログラムに相当する。言い換えれば、上述の主アプレットの具体例において、従携帯通信機器３０に係る動作は、実際には従携帯通信機器３０側で当該部分アプレットが実行されることで実現される。部分アプレットは、主アプレットを構成するサービスブロック、トリガブロック、又は、アクションブロックの少なくとも一部を含んで構成される。部分アプレットは、従携帯通信機器３０の複数の従側スロット３８Ｓにそれぞれ記憶される。
【００６４】
例えば、従携帯通信機器３０が電子時計３０Ａである場合、部分アプレットに含まれる内容は、指針３の回転方向、モータ３４ａのステップ数、移動速度、モータ駆動周波数、指針３の動作パターン、アラームの動作パターンなどである。主アプレットでサービスブロック、トリガブロック、アクションブロックが設定されると、サービスの内容に応じた電子時計３０Ａ（従携帯通信機器３０）の動作仕様が決定される。そして、これに応じて従側スロット３８Ｓの記憶フォーマットにあわせて上記部分アプレットの情報が作成され、主携帯通信機器２０から従携帯通信機器３０に転送され、後述するように主側スロット２６Ｓの番号に対応した従側スロット３８Ｓに当該部分アプレットが記憶される。ここで、サービスの内容に応じた従携帯通信機器３０（電子時計３０Ａ）の動作仕様は、制御部２７によって逐次決定されてもよいし、主アプレットが作成された際に予め決定されていてもよい。同様に、従側スロット３８Ｓの記憶フォーマットに合わせた上記部分アプレットの情報は、制御部２７によって逐次作成されてもよいし、主アプレットが作成された際に予め作成されていてもよい。
【００６５】
＜従側スロットの詳細＞
本実施形態の複数の従側スロット３８Ｓは、図４に示すように、従側基準スロット３８ａと、従側第１スロット３８ｂと、従側第２スロット３８ｃと、従側第３スロット３８ｄとを含んで構成されており、それぞれ対応する主側スロット２６Ｓに記憶された主アプレットの部分アプレットを記憶する。ここで、従側基準スロット３８ａは、主側基準スロット２６ａと同様に、予め他の従側スロット３８Ｓ（従側第１スロット３８ｂ、従側第２スロット３８ｃ、従側第３スロット３８ｄ）とは区別されて設定されたスロットである。当該従側基準スロット３８ａは、主側スロット２６Ｓの主側基準スロット２６ａと対応づけられたスロットである。従側基準スロット３８ａは、典型的には、主側基準スロット２６ａに記憶された主アプレットの一部を構成し従携帯通信機器３０における基本的な機能を動作させる部分アプレットを記憶する。ここでは、従側基準スロット３８ａは、電子時計３０Ａとして構成される本実施形態の従携帯通信機器３０に時刻を表示させる部分アプレットを記憶する。従側基準スロット３８ａが記憶する部分アプレットには、時刻表示に係る情報（例えば、時刻、日付、アラーム、クロノグラフ、都市、時差等に関する情報）が含まれている。また、従側第１スロット３８ｂは、主側スロット２６Ｓの主側第１スロット２６ｂと対応づけられたスロットであり、主側第１スロット２６ｂに記憶された主アプレットの一部の情報を含んで構成される部分アプレットを記憶する。従側第２スロット３８ｃは、主側スロット２６Ｓの主側第２スロット２６ｃと対応づけられたスロットであり、主側第２スロット２６ｃに記憶された主アプレットの一部の情報を含んで構成される部分アプレットを記憶する。従側第３スロット３８ｄは、主側スロット２６Ｓの主側第３スロット２６ｄと対応づけられたスロットであり、主側第３スロット２６ｄに記憶された主アプレットの一部の情報を含んで構成される部分アプレットを記憶する。
【００６６】
なお、従側スロット３８Ｓは、後述するように所定の操作（例えば、プッシュボタン８Ｂの押下操作等）により順番に選択されるが、リセットやパワーブレークなどにより従携帯通信機器３０のシステムが初期化された場合には、時刻表示するアプレットを記憶した従側基準スロット３８ａが優先的に選択されるように設定されもよい。これにより、ユーザは、主側スロット２６Ｓと従側スロット３８Ｓのアプレット選択を行うことなく、従携帯通信機器３０を一般的な時計として活用することができる。またこの場合、従携帯通信機器３０、リセット後に時計として秒針３ａが常に動作するため、ユーザが故障と誤認識することを防止できる利点もある。当該従側基準スロット３８ａの優先選択については、後で詳しく説明する。
【００６７】
＜部分アプレットの転送＞
主携帯通信機器２０の通信部２２は、従携帯通信機器３０の通信部３２と通信可能な状態となると、制御部２７による制御に応じて、各主側スロット２６Ｓから主アプレットに応じた部分アプレットを従携帯通信機器３０に送信する。この場合、通信部２２は、都度、すべての主側スロット２６Ｓから部分アプレットを従携帯通信機器３０に送信してもよいし、主アプレットが新規に格納された主側スロット２６Ｓの部分アプレットのみを従携帯通信機器３０に送信してもよい。また、通信部２２は、通信部３２と通信可能な状態となり、かつ、ユーザが入力部２３に対して所定の入力操作を行った場合に、主側スロット２６Ｓから部分アプレットを従携帯通信機器３０に送信するようにしてもよい。そして、従携帯通信機器３０の通信部３２は、制御部３９による制御に応じて、通信部２２から送信された各部分アプレットを受信し、対応する各従側スロット３８Ｓに格納する。このようにして、各従側スロット３８Ｓは、通信部２２と通信部３２とが通信可能な状態となると、制御部２７及び制御部３９による制御に応じて、それぞれ対応する主側スロット２６Ｓから通信部２２、通信部３２を介して主アプレットの一部の情報を含んで構成される部分アプレットが転送され、当該転送された部分アプレットをそれぞれ記憶する。
【００６８】
＜主アプレット、部分アプレットの選択の具体例＞
各主側スロット２６Ｓに記憶される主アプレット、及び、各主側スロット２６Ｓから各従側スロット３８Ｓに転送される部分アプレットは、例えば、主携帯通信機器２０の入力部２３、出力部２５等を介してユーザの任意に選択することができる。例えば、図５は、各スロット（主側スロット２６Ｓ、従側スロット３８Ｓ）にセットするアプレット（主アプレット、部分アプレット）を選択するための選択画面１００の一例を表している。図５に示す選択画面１００は、出力部２５を構成するディスプレイ２５Ａに表示される。選択画面１００は、第１スロット（主側第１スロット２６ｂ、従側第１スロット３８ｂ）を表すアイコン画像１０１、第２スロット（主側第２スロット２６ｃ、従側第２スロット３８ｃ）を表すアイコン画像１０２、第３スロット（主側第３スロット２６ｄ、従側第３スロット３８ｄ）を表すアイコン画像１０３、及び、主携帯通信機器２０に既にダウンロード済みのアプレットを表すアイコン画像１０４を含む。制御部２７は、入力部２３を構成するタッチパネルに対するユーザのタップ動作、フリック動作、スワイプ動作等に応じて、アイコン画像１０１、１０２、１０３のいずれかが表すスロットに任意のアプレットのアイコン画像１０４を移動する動作が入力されると、当該アイコン画像１０４が移動されたスロットに当該移動されたアイコン画像１０４に対応するアプレットをセットする。これに応じて、制御部２７は、ユーザによって任意に選択された主側スロット２６Ｓに、ユーザによって任意に選択された主アプレットを記憶させる。そして、制御部２７及び制御部３９は、上記のように通信部２２と通信部３２とが通信可能な状態となると、ユーザによって任意に選択された主アプレットに応じた部分アプレットを、それぞれ対応する主側スロット２６Ｓから従側スロット３８Ｓに転送し、当該各従側スロット３８Ｓにそれぞれ記憶させる。このようにして、各主側スロット２６Ｓに記憶される主アプレット、及び、各各従側スロット３８Ｓに転送される部分アプレットをユーザの任意に選択することができる。
【００６９】
なお、図５に例示した選択画面１００は、一例として、初期状態で特定のアプレット（例えば、時計機能アプレット）が記憶されている基準スロット（主側基準スロット２６ａ、従側基準スロット３８ａ）を除く第１スロット、第２スロット、第３スロットに記憶するアプレットを任意に変更可能である場合を例示して図示したが、これに限らず、基準スロットを含め全てのスロットに記憶するアプレットを任意に変更可能な構成とすることもできる。この場合、制御部２７は、基準スロットに記憶されているアプレットの変更にあたっては、入力部２３に対して予め定められた特定の操作入力がなされユーザの同意が確認されたことを条件として変更を許可するようにすることで、誤って基準スロットに記憶されているアプレットを書き換えてしまうことを防止することができる。この場合、選択画面１００は、例えば、初期状態では基準スロットを表すアイコン画像をグレー表示としておき、入力部２３に対して特定の操作入力がなされユーザの同意が確認され、基準スロットに記憶されているアプレットが変更可能な状態となった際に、他のスロットのアイコン画像１０１、１０２、１０３と同様の表示態様（アクティブ表示）となるように構成されてもよい。
【００７０】
＜起動アプレットの切替操作部＞
従携帯通信機器３０は、複数の従側スロット３８Ｓ（従側基準スロット３８ａ、従側第１スロット３８ｂ、従側第２スロット３８ｃ、従側第３スロット３８ｄ）に記憶されている部分アプレットから制御部３９によって起動し実際に実行する部分アプレットを選択することができる。この場合、携帯通信機器連携システムＳ１は、主携帯通信機器２０の入力部２３や従携帯通信機器３０の操作部３５を、従携帯通信機器３０で実行する部分アプレットを切り替えるための切替操作部として機能させることができる。当該切替操作部は、複数の従側スロット３８Ｓにそれぞれ記憶された部分アプレットのうち制御部３９によって起動し実行する部分アプレットを選択し切り替える操作を受け付ける。
【００７１】
＜切替操作部の具体例＞
例えば、操作部３５のプッシュボタン８Ｂを切替操作部として機能させる場合、制御部３９は、プッシュボタン８Ｂに対する押下操作が１回行われるたびに、起動実行対象とする部分アプレットの従側スロット３８Ｓを、従側基準スロット３８ａ、従側第１スロット３８ｂ、従側第２スロット３８ｃ、従側第３スロット３８ｄの順で順次切り替える。そして、制御部３９は、プッシュボタン８Ｂに対する押下操作に応じて選択された従側スロット３８Ｓの部分アプレットを実行する。またこのとき、制御部３９は、当該操作に応じて通信部３２を介して主携帯通信機器２０に連動指令を送信する。制御部２７は、通信部２２等を介して当該連動指令を受信すると、従側スロット３８Ｓの部分アプレット選択に連動して、主側スロット２６Ｓのスロットの選択が行われ、対応するスロットのアプレットを起動する。この結果、従携帯通信機器３０は、ワンアクションで部分アプレットを起動する従側スロット３８Ｓを選択することができるので利便性を向上することができ、例えば、頻繁な切り替え操作にも好適に対応することができる。なおこの場合、従携帯通信機器３０は、例えば、プッシュボタン８Ｂが押下操作された際に、秒針３ａを１周させて所定の位置（例えば、後述する「ＡＣＴ」の文字表記４ｅの位置）に停止させることで、ユーザに対して従側スロット３８Ｓの切り替えが行われたことを知らせることができる。その後、秒針３ａは、選択された従側スロット３８Ｓに記憶された部分アプレットに応じた動作となる。またこの場合、操作部３５のうちプッシュボタン８Ａは、選択された従側スロット３８Ｓの部分アプレットが実行された際に操作可能なボタンとして開放することが可能である。
【００７２】
＜レジスタによる選択スロット表示＞
上記のように起動実行対象とする従側スロット３８Ｓを切り替えるにあたって、従携帯通信機器３０は、例えば、レジスタ６（図３参照）によって、現在、選択されている部分アプレットのスロットを表示することができる。図３の例では、レジスタ６は、文字板４において当該レジスタ６を構成する部分に、「１」の数字表記６ａ、「２」の数字表記６ｂ、「３」の数字表記６ｃ、及び、電力レベルゲージ６ｄが設けられている。「１」の数字表記６ａは、従側第１スロット３８ｂを表す。「２」の数字表記６ｂは、従側第２スロット３８ｃを表す。「３」の数字表記６ｃは、従側第３スロット３８ｄを表す。電力レベルゲージ６ｄは、電池の蓄電量を表す。そして、レジスタ６は、現在選択中の従側スロット３８Ｓが従側第１スロット３８ｂである場合には小針３ｄによって「１」の数字表記６ａを指し示す。レジスタ６は、現在選択中の従側スロット３８Ｓが従側第２スロット３８ｃである場合には小針３ｄによって「２」の数字表記６ｂを指し示す。レジスタ６は、現在選択中の従側第３スロット３８ｄである場合には小針３ｄによって「３」の数字表記６ｃを指し示す。またここでは、レジスタ６は、現在選択中の従側スロット３８Ｓが従側基準スロット３８ａである場合には小針３ｄによって電力レベルゲージ６ｄの所定の位置（電池の蓄電量に応じた位置）を指し示すことをもって現在、従側基準スロット３８ａが選択されていることを表す。これにより、従携帯通信機器３０は、ユーザに対して、現在選択中の従側スロット３８Ｓを容易に認識させることができる。
【００７３】
＜切替操作部に関する付記的事項＞
図３に例示する従携帯通信機器３０は、レジスタ６が文字板４における４時位置から８時位置までの間の８時位置側に配置され、プッシュボタン８Ｂが文字板４における４時位置から８時位置までの間の４時位置側に配置される。この構成により、従携帯通信機器３０は、選択中の従側スロット３８Ｓを表示するレジスタ６と、従側スロット３８Ｓを切り替えるための切替操作部として機能するプッシュボタン８Ｂとが横方向（文字板４における３時位置と９時位置とを結ぶ線に沿った方向）に並んで近接した配置とすることができる。この結果、従携帯通信機器３０は、レジスタ６とプッシュボタン８Ｂとが従側スロット３８Ｓの切り替えにおいて相互に関係することを、ユーザに対して、直感的に分かり易く認識させることができる。またさらに、従携帯通信機器３０は、例えば、図３に示すように、レジスタ６における「１」の数字表記６ａ、「２」の数字表記６ｂ、「３」の数字表記６ｃ、電力レベルゲージ６ｄ、小針３ｄ等の表記色と、切替操作部として機能するプッシュボタン８Ｂや当該プッシュボタン８Ｂ近傍のベゼルの色とをあわせておくことで、ユーザに対して、さらに直感的に相互の関連性を認識させ易くすることができる。
【００７４】
なお、上記とは別の例として、レジスタ６が文字板４における１０時位置から２時位置に配置される場合は、レジスタ６の表示する機能の選択、例えば、従側スロット３８Ｓの選択を切り替えるための切替操作部として機能するプッシュボタンは、横方向に並んで近接するプッシュボタン８Ａを選択することで、直感的に相互の関連性を認識させ易くすることができる。また、レジスタ６とプッシュボタンとの位置関係に関わらず、プッシュボタンの操作で切替可能なレジスタ６における機能の表記色を、プッシュボタンやその近傍のベゼルに表記したマークの表記色と同じにすることは、相互の関連性を認識させる上で高い効果を得ることができる。
【００７５】
＜切替操作部の他の具体例＞
なお、従携帯通信機器３０は、操作部３５のプッシュボタン８Ｂにかえてリューズ７を切替操作部として機能させることもできる。この場合、制御部３９は、例えば、リューズ７が０段である状態（引き出されていない状態）で、当該リューズ７が一方向に回転操作されるたびに、起動実行対象とする部分アプレットの従側スロット３８Ｓを、従側基準スロット３８ａ、従側第１スロット３８ｂ、従側第２スロット３８ｃ、従側第３スロット３８ｄの順で順次切り替えるようにしてもよい。この場合も、従携帯通信機器３０は、ワンアクションで部分アプレットを起動する従側スロット３８Ｓを選択することができるので利便性を向上することができ、例えば、頻繁な切り替え操作にも好適に対応することができる。また、切替操作部は、主携帯通信機器２０の入力部２３によって構成することもできる。この場合、制御部２７は、例えば、出力部２５を構成するディスプレイに、従側スロット３８Ｓを選択するための選択画面を表示させ、入力部２３を構成するタッチパネルに対する操作入力に応じて、起動実行対象とする部分アプレットの従側スロット３８Ｓを切り替えるようにしてもよい。
【００７６】
＜実施形態の作用効果＞
以上で説明した携帯通信機器連携システムＳ１は、通信部２２、及び、通信部３２を介して相互に通信可能である主携帯通信機器２０と従携帯通信機器３０とを備える。主携帯通信機器２０は、記憶部２６の複数の主側スロット２６Ｓに、それぞれ主アプレットを記憶する。各主アプレットは、制御部２７及び制御部３９によって実行されることで当該主携帯通信機器２０と当該従携帯通信機器３０とを連携して動作させる。そして、従携帯通信機器３０は、記憶部３８の複数の従側スロット３８Ｓに、それぞれ対応する主側スロット２６Ｓから通信部２２及び通信部３２を介して転送された部分アプレットを記憶する。各部分アプレットは、対応する主アプレットの一部を構成し制御部３９によって実行されることで従携帯通信機器３０を動作させる。この結果、携帯通信機器連携システムＳ１、主携帯通信機器２０、及び、従携帯通信機器３０は、従携帯通信機器３０を多様に使用することができる。つまり、従携帯通信機器３０は、記憶部３８の複数の従側スロット３８Ｓにそれぞれ記憶された部分アプレットが実行されることで、主携帯通信機器２０と連携して１台の従携帯通信機器３０で多様の機能、動作を実現することができる。
【００７７】
以上で説明した携帯通信機器連携システムＳ１は、切替操作部（主携帯通信機器２０の入力部２３や従携帯通信機器３０の操作部３５）を介して、従携帯通信機器３０において複数の従側スロット３８Ｓに記憶されている部分アプレットから制御部３９によって起動し実際に実行する部分アプレットをユーザが任意に選択することができる。この結果、携帯通信機器連携システムＳ１、主携帯通信機器２０、及び、従携帯通信機器３０は、従携帯通信機器３０の利便性を向上することができる。
【００７８】
以上で説明した携帯通信機器連携システムＳ１、主携帯通信機器２０、及び、従携帯通信機器３０は、従携帯通信機器３０において、複数の従側スロット３８Ｓのうち従側基準スロット３８ａを他の従側スロット３８Ｓと区別して取り扱うことができるので、当該従側基準スロット３８ａに記憶されている部分アプレットを他の従側スロット３８Ｓに記憶されている部分アプレットとは異なる特別な態様で用いることができる。
【００７９】
以上で説明した携帯通信機器連携システムＳ１、主携帯通信機器２０、及び、従携帯通信機器３０は、従側基準スロット３８ａに、従携帯通信機器３０に時刻を表示させる部分アプレットが予め記憶されていてもよく、基本機能として従携帯通信機器３０を時計として動作させた上で、他の従側スロット３８Ｓの部分アプレットによって時計以外の多様の機能、動作を実現することができる。
【００８０】
以上で説明した携帯通信機器連携システムＳ１、主携帯通信機器２０、及び、従携帯通信機器３０は、従携帯通信機器３０がウェアラブル機器によって構成されるので、ユーザが当該従携帯通信機器３０を装着した状態で、主携帯通信機器２０と連携して当該ユーザに対して生活を向上させるような多様なサービスを提供することができる。
【００８１】
以上で説明した携帯通信機器連携システムＳ１、主携帯通信機器２０、及び、従携帯通信機器３０は、従携帯通信機器３０が指針３によって時刻を表示するアナログ電子時計３０Ａであるので、指針３や文字板４等を活用、兼用しつつ主携帯通信機器２０と連携して時刻表示以外の多様なサービスを提供することができる。
【００８２】
以上で説明した携帯通信機器連携システムＳ１、主携帯通信機器２０、及び、従携帯通信機器３０は、外部機器１０から主携帯通信機器２０にダウンロードされた各主アプレットの一部の情報を含んで構成される部分アプレットが従携帯通信機器３０に転送され、当該従携帯通信機器３０で実行されるので、外部機器１０と連携させて従携帯通信機器３０をより多様に使用させることができる。
【００８３】
以上で説明した携帯通信機器連携システムＳ１、主携帯通信機器２０、及び、従携帯通信機器３０は、主アプレットがサービスブロックとトリガブロックとアクションブロックとによって構成され、部分アプレットがサービスブロック、トリガブロック、又は、アクションブロックの少なくとも一部を含んで構成される。この構成により、携帯通信機器連携システムＳ１、主携帯通信機器２０、及び、従携帯通信機器３０は、主携帯通信機器２０と従携帯通信機器３０とを連携させて、トリガ生成部が生成したトリガに応じてアクション実行部にサービス内容に応じたアクションを実行させることができる。
【００８４】
＜付加的事項１：アプレットの自動変更＞
以上で説明した制御部２７、及び、制御部３９は、予め設定された切替条件に応じて、複数の主側スロット２６Ｓに記憶させる主アプレットの組み合わせ、及び、複数の従側スロット３８Ｓに記憶させる部分アプレットの組み合わせを切り替えるように制御することができる。制御部２７は、例えば、図５で説明した選択画面１００等を利用して、ユーザからの入力に応じて、予め各スロットに記憶させるアプレットの組み合わせをグループ化し、当該グループを複数組設定しておくと共に、各グループの切替条件も予め設定しておく。各グループの切替条件としては、例えば、ユーザによって指定された時刻になったこと、ユーザによって指定された行動（歩数等、検出部３６によって検出可能な行動）が検出されたこと等が挙げられる。制御部２７、及び、制御部３９は、当該切替条件が成立すると、各スロットに記憶させるアプレットの組み合わせを、自動で他の組み合わせに切り替える。この場合も、部分アプレットは、通信部２２、及び、通信部３２を介して各主側スロット２６Ｓから各従側スロット３８Ｓに自動で転送される。このように構成されることで、携帯通信機器連携システムＳ１は、従携帯通信機器３０において、各スロットに記憶されているアプレットをユーザのニーズ、生活スタイル、生活リズム等にあわせて自動で切り替えることができるので、さらに利便性を向上することができる。
【００８５】
＜付加的事項２：基準スロットへの自動復帰（従側スロットのデフォルト設定）＞
以上で説明した制御部３９は、例えば、他の部分アプレットによる動作が終了した場合やユーザによる従側スロット３８Ｓの選択意思等が把握できない場合等に、従側基準スロット３８ａを優先的に選択し、当該従側基準スロット３８ａに記憶されている部分アプレットを優先的に起動、実行するように制御しても良い。より具体的には、制御部３９は、例えば、下記に記載する（１）、（２）、（３）、（４）、（５）、又は、（６）のような場合に、起動実行対象とする部分アプレットの従側スロット３８Ｓとして、従側基準スロット３８ａを優先的に選択するように制御することができる。
（１）従側基準スロット３８ａ以外の他の従側スロット３８Ｓに記憶されている部分アプレットに応じた動作が終了した場合
（２）制御部３９によっていずれの部分アプレットも実行されていない場合
（３）通信部３２を介した外部（主携帯通信機器２０）との通信が不能な場合
（４）通信部３２を介した外部（主携帯通信機器２０）との通信が不能な状態から復帰した場合
（５）従側基準スロット３８ａ以外の他の従側スロット３８Ｓに部分アプレットが記憶されていない場合
（６）従携帯通信機器３０の電源電力が予め設定された閾値以下となった場合
言い換えれば、制御部３９は、従側基準スロット３８ａをデフォルトスロットとして設定し、従側基準スロット３８ａは、上記の（１）、（２）、（３）、（４）、（５）、又は、（６）のような場合に、制御部３９によって自動で選択され、当該従側基準スロット３８ａに記憶されている部分アプレットが自動的に実行される。このように構成されることで、携帯通信機器連携システムＳ１は、従携帯通信機器３０において、従側基準スロット３８ａ以外の他の従側スロット３８Ｓに記憶されている部分アプレットが実行されていない状態等で、従側基準スロット３８ａに記憶されている部分アプレット、ここでは、従携帯通信機器３０を時計として機能させる部分アプレットを実行し、従携帯通信機器３０を時計として機能させておくことができる。
【００８６】
＜付加的事項３：切替操作部の誤操作防止＞
以上の説明では、操作部３５のプッシュボタン８Ｂを切替操作部として機能させる場合、制御部３９は、プッシュボタン８Ｂに対する押下操作が１回行われるたびに、起動実行対象とする部分アプレットの従側スロット３８Ｓを順次切り替えるものとして説明した。これに対して、制御部３９は、単にプッシュボタン８Ｂに対する押下操作が１回行われるたびに従側スロット３８Ｓを順次切り替えるのではなく、プッシュボタン８Ｂに対する押下操作が行われた後、所定時間（例えば、５秒程度）内にリューズ７に対して回転操作がなされた際に従側スロット３８Ｓを順次切り替えるように制御することもできる。これにより、制御部３９は、ユーザによる切替操作部の誤操作を防止することができる。さらに別の例として、制御部３９は、プッシュボタン８Ｂが所定時間（例えば、２秒程度）長押しされた際に、最初の従側スロット３８Ｓの切り替えを行い、以降は、プッシュボタン８Ｂが短押しされるたびに従側スロット３８Ｓを順次切り替えるように制御することもできる。この場合であっても、制御部３９は、ユーザによる切替操作部の誤操作を防止することができる。
【００８７】
＜付加的事項４−１：リューズの他の機能（フライトモード）＞
以上で説明した従携帯通信機器３０は、リューズ７が１段階引き出された１段引きの状態とされ、その後に所定の回転操作がなされることで、通信部３２を介した通信を遮断し通信不能とするフライトモードを選択することができる。この場合、従携帯通信機器３０は、リューズ７が１段引きの状態とされ回転操作がなさることでフライトモードのＯＮ／ＯＦＦの設定を選択でき、その結果を秒針３ａによって表示することができる（このとき、従携帯通信機器３０は、分針３ｂ、時針３ｃによる時刻の表示を継続しておく。）。例えば、従携帯通信機器３０は、図３に示すように秒針３ａが文字板４の６時位置に配置された飛行機記号４ｃの位置とは反対側の１２時位置を指し示すことでフライトモードＯＦＦが選択されていることを表す。一方、従携帯通信機器３０は、図６に示すように秒針３ａが飛行機記号４ｃを指し示すことでフライトモードＯＮが選択されていることを表す。この場合、従携帯通信機器３０は、秒針３ａが飛行機記号４ｃとは反対側の１２時位置を指し示すことで「フライトモードＯＦＦ」が選択されていることを表すことによって、飛行機の外側に向けて電波を放射している様子を模すことができるので、ユーザに「フライトモードＯＦＦ」が選択されていることをイメージさせ易くすることができる。一方、従携帯通信機器３０は、秒針３ａが６時位置に配置された飛行機記号４ｃを指し示すことで「フライトモードＯＮ」が選択されていることを表すことによって、飛行機の内側に電波を留めている様子を模すことができるので、ユーザに「フライトモードＯＮ」が選択されていることをイメージさせ易くすることができる。そして、従携帯通信機器３０は、「フライトモードＯＮ」が選択された状態で、リューズ７が押し戻されることで実際にフライトモードに移行することができる。また、飛行機記号４ｃが表記されない場合であっても、電子時計３０Ａを腕に着用して文字板４を上方向に向けた場合に、文字板４の６時位置側に人体が在り、１２時位置側は障害物の無い開放領域であるため、６時位置方向を指針３（秒針３ａ）が指す場合は電波が閉じ込められ、１２時位置方向を指針が指す場合は電波が開放されていることを、ユーザがイメージしやすいという利点もある。上記の各動作は、制御部３９の制御によって実行される。そして、制御部３９は、フライトモードにおいては、部分アプレットの実行を一旦停止するようにしてもよいし、上述したように従側基準スロット３８ａを自動で選択し従側基準スロット３８ａに記憶されている部分アプレットを自動で起動、実行するようにしてもよい。
【００８８】
＜付加的事項４−２：リューズの他の機能（時刻調整、基準位置確認モード等）＞
そしてさらに、従携帯通信機器３０は、リューズ７が２段階引き出された２段引きの状態とされると秒針３ａが３時位置で停止され、時刻調整モードに移行することができる。従携帯通信機器３０は、この状態でプッシュボタン８Ｂが所定時間（例えば、５秒程度）長押しされると時刻修正が可能となり、この状態でリューズ７が回転操作されることで、分針３ｂ、時針３ｃの位置調整を行うことができる。そしてさらに、従携帯通信機器３０は、この状態でプッシュボタン８Ａが所定時間（例えば、５秒程度）長押しされると、指針３の基準位置確認モードに移行することができる。従携帯通信機器３０は、基準位置確認モードでは、各指針３（秒針３ａ、分針３ｂ、時針３ｃ、小針３ｄ）を予め定められた基準位置（例えば、１２時位置）に移動させる。従携帯通信機器３０は、この状態で各指針３の実際の位置と基準位置とが位置ズレしている場合には、プッシュボタン８Ａやプッシュボタン８Ｂが押下操作されることで基準位置の調整を行う指針３が選択され、この状態でリューズ７が回転操作されることで当該選択された指針３の基準位置を調整可能なように構成することができる。上記の各動作は、制御部３９の制御によって実行される。そして、従携帯通信機器３０は、リューズ７が２段引きの状態から押し戻され０段状態とされると、通常の時刻表示に復帰する。この場合、制御部３９は、リューズ７が２段引きとされた状態では部分アプレットの実行を一旦停止するようにしてもよい。そして、制御部３９は、リューズ７が２段引きの状態から押し戻され０段状態とされると、リューズ７が引き出される前に選択されていた従側スロット３８Ｓの部分アプレットの実行を再開するようにしてもよいし、上述したように従側基準スロット３８ａを自動で選択し従側基準スロット３８ａに記憶されている部分アプレットを自動で起動、実行するようにしてもよい。なお、従携帯通信機器３０は、プッシュボタン８Ａとプッシュボタン８Ｂとを同時に所定時間（例えば、７秒程度）長押しされると、ソフトリセットを起動し時刻情報を完全初期化（オールリセット）するようにしてもよい。
【００８９】
＜付加的事項４−３：リューズの他の機能（通信機能リセット）＞
また、従携帯通信機器３０は、リューズ７が１段引きの状態とされた後、プッシュボタン８Ａが所定時間（例えば、１２秒程度）長押しされると、従携帯通信機器３０内の通信部３２に係る通信ＩＣのハードウェアリセットを実施し初期化することができる。また、従携帯通信機器３０は、リューズ７が１段引きの状態とされた後、プッシュボタン８Ｂが所定時間（例えば、５秒程度）長押しされると、主携帯通信機器２０との通信に係るペアリングキー等の認証情報を消去することもできる。上記の各動作は、制御部３９の制御によって実行される。
【００９０】
＜付加的事項５：レジスタの他の機能（各種状態報知）＞
以上で説明したレジスタ６（図３参照）は、文字板４において当該レジスタ６を構成する部分に、数字表記６ａ、６ｂ、６ｃ、電力レベルゲージ６ｄに加えて、さらにＡＬＴ（アラート通知表示）ゲージ６ｅが設けられている。ここでは、ＡＬＴゲージ６ｅは、「１」の数字表記６ａと電力レベルゲージ６ｄとの間に配置される。また、以上で説明した文字板４（図３参照）は、「ＬＩＮＫ  ＬＯＳＳ」を表す「ＬＬ」の文字表記４ｄ、「ＡＣＴＩＶＥ」を表す「ＡＣＴ」の文字表記４ｅ、「ＩＮＦＯＭＡＴＩＯＮ」を表す「ＩＮＦＯ」の文字表記４ｆ、「ＥＲＲＯＲ」を表す「ＥＲＲ」の文字表記４ｇが設けられている。ここでは、「ＬＬ」の文字表記４ｄは、文字板４の９時位置に配置され、「ＡＣＴ」の文字表記４ｅは、文字板４の１０時位置に配置され、「ＩＮＦＯ」の文字表記４ｆは、文字板４の１１時位置に配置され、「ＥＲＲ」の文字表記４ｇは、文字板４の１２時位置に配置される。そして、従携帯通信機器３０（電子時計３０Ａ）は、ＡＬＴゲージ６ｅ、「ＬＬ」の文字表記４ｄ、「ＡＣＴ」の文字表記４ｅ、「ＩＮＦＯ」の文字表記４ｆ、「ＥＲＲ」の文字表記４ｇ、秒針３ａ、及び、小針３ｄを組み合わせることで従携帯通信機器３０における各種状態を報知（アラート）することができる。「ＬＬ」、「ＡＣＴ」、「ＩＮＦＯ」、「ＥＲＲ」の文字表記４ｄ、４ｅ、４ｆ、４ｇは、上記に限らず、例えば、３時位置、６時位置、９時位置、１２時位置にそれぞれ配置されていてもよく、この場合、それぞれ配置が４５度ずつ離れているので、遠くからでも指針３（秒針３ａ）がどの位置を示しているか判断し易くすることができる。
【００９１】
例えば、従携帯通信機器３０は、小針３ｄがＡＬＴゲージ６ｅを指し示し、かつ、秒針３ａが「ＬＬ」の文字表記４ｄを指し示すことで、通信部３２を介した主携帯通信機器２０との通信が切断状態であることを報知することができる。また、従携帯通信機器３０は、小針３ｄがＡＬＴゲージ６ｅを指し示し、かつ、秒針３ａが「ＡＣＴ」の文字表記４ｅを指し示すことで、通信部３２を介した主携帯通信機器２０との通信を準備中、あるいは、通信がビジー状態であることを報知することができる。また、従携帯通信機器３０は、小針３ｄがＡＬＴゲージ６ｅを指し示し、かつ、秒針３ａが「ＩＮＦＯ」の文字表記４ｆを指し示すことで、主携帯通信機器２０側の主アプレットから通知があることを報知することができる。また、従携帯通信機器３０は、小針３ｄがＡＬＴゲージ６ｅを指し示し、かつ、秒針３ａが「ＥＲＲ」の文字表記４ｇを指し示すことで、エラー発生、部分アプレットが実行できなかったことを報知することができる。これにより、従携帯通信機器３０は、ユーザに対して、現在の従携帯通信機器３０の動作状態を容易に報知することができる。そして、従携帯通信機器３０は、プッシュボタン８Ａ、８Ｂのいずれかが押下操作されることで各種状態の報知（アラート）を解除することができる。上記の各動作は、制御部３９の制御によって実行される。
【００９２】
なお、携帯通信機器連携システムＳ１は、上記のようなレジスタ６を用いた各種状態報知とあわせて、主携帯通信機器２０側の出力部２５を構成するディスプレイでも同様の各種状態報知を表示させるようにしてもよい。この場合、主携帯通信機器２０は、例えば、ディスプレイに文字板４、レジスタ６、秒針３ａ、小針３ｄ等を模した画像を表示し、従携帯通信機器３０での表示と同様の位置関係でこれらの要素を表示することで、ユーザに対して現在の従携帯通信機器３０の動作状態をさらに認識させ易くすることもできる。また、携帯通信機器連携システムＳ１は、従携帯通信機器３０側でエラーや警告等が発生した場合に小針３ｄがＡＬＴゲージ６ｅを指し示すことでユーザに主携帯通信機器２０を見るように促した上で、主携帯通信機器２０側の出力部２５を構成するディスプレイに、従携帯通信機器３０の状態を表すメッセージを表示させるようにしてもよい。従携帯通信機器３０の状態を表すメッセージとしては、例えば、「時計の電池残量不足」、「衝撃が加わったため、針位置ずれの確認が必要」、「アラームが設定された機能の実行ができなかった」等が挙げられるがこれに限らない。
【００９３】
＜付加的事項６：主携帯通信機器と従携帯通信機器との通信接続＞
従携帯通信機器３０は、例えば、プッシュボタン８Ａとプッシュボタン８Ｂとが同時に押下操作されることで、主携帯通信機器２０との通信接続に移行することができる。この場合、制御部３９は、通信部３２を介した主携帯通信機器２０との近距離無線通信を確立させ、この間、秒針３ａによって「ＡＣＴ」の文字表記４ｅを指し示す。そして、制御部３９は、主携帯通信機器２０との近距離無線通信が成功すると、例えば、秒針３ａを２回転させて時刻表示に復帰させる。一方、制御部３９は、主携帯通信機器２０との近距離無線通信が失敗すると、例えば、秒針３ａによって「ＬＬ」の文字表記４ｄを指し示す。この結果、従携帯通信機器３０は、ユーザに対して主携帯通信機器２０との近距離無線通信の確立の成否を知らせることができるので、さらに利便性を向上することができる。
【００９４】
なお、上述した本発明の実施形態に係る携帯通信機器連携システム、主携帯通信機器、及び、従携帯通信機器は、上述した実施形態に限定されず、特許請求の範囲に記載された範囲で種々の変更が可能である。
【００９５】
以上の説明では、従携帯通信機器３０は、ウェアラブル機器の一例として、図３に示すような電子時計３０Ａによって構成されるものとして説明したがこれに限らない。従携帯通信機器３０は、眼鏡型、指輪型、靴型、ペンダント型等の他のウェアラブル機器によって構成されてもよい。さらに言えば、従携帯通信機器３０は、ウェアラブル機器でなくてもよく、例えば、通信機能を有する携帯ゲーム機器等によって構成されてもよい。また、携帯通信機器連携システムＳ１は、複数の従携帯通信機器３０を備え、当該複数の従携帯通信機器３０が１つの主携帯通信機器２０と連携してもよい。
【００９６】
以上の説明では、主側スロット２６Ｓに記憶される主アプレットは、主携帯通信機器２０側だけでトリガ、アクションが完結するもの、つまり、従携帯通信機器３０側に部分アプレットを転送する必要がないものを含んでいてもよい。
【００９７】
以上で説明した複数の主側スロット２６Ｓは、上記主側基準スロット２６ａを含んでいなくてもよく、主側基準スロット２６ａにかえて主側第１スロット２６ｂ、主側第２スロット２６ｃ、主側第３スロット２６ｄと等価（同等の序列）の主側第４スロットを含んで構成されてもよい。同様に、複数の従側スロット３８Ｓは、上記従側基準スロット３８ａを含んでいなくてもよく、従側基準スロット３８ａにかえて従側第１スロット３８ｂ、従側第２スロット３８ｃ、従側第３スロット３８ｄと等価（同等の序列）の従側第４スロットを含んで構成されてもよい。
【００９８】
以上で説明した主アプリケーションプログラム、従アプリケーションプログラムは、いわゆるアプレットであるものとして説明したがこれに限らない。また、主アプリケーションプログラム（主アプレット）は、サービスブロックプログラムと、トリガブロックプログラムと、アクションブロックプログラムとによって構成されるものとして説明したがこれに限らない。
【００９９】
＜アプレット選択画面の変形例＞
制御部２７は、各スロット（主側スロット２６Ｓ、従側スロット３８Ｓ）にセットするアプレット（主アプレット、部分アプレット）を選択させる場合、上述した図５に示した選択画面１００にかえて、図７に示す選択画面２００をディスプレイ２５Ａに表示させてもよい。ディスプレイ２５Ａは、制御部２７によって制御され画像を表示可能である表示部を構成するものである。図７に示す選択画面２００は、スロット表示領域２００Ａ、マイアプレット領域２００Ｂ、及び、セットアプレット領域２００Ｃを含む。当該選択画面２００は、上側にスロット表示領域２００Ａが位置し、中央にマイアプレット領域２００Ｂが位置し、下側にセットアプレット領域２００Ｃが位置する。
【０１００】
スロット表示領域２００Ａは、各スロットにセットされているアプレットを表すと共に、各スロットにアプレットをセットするために操作される領域である。スロット表示領域２００Ａは、スロットアイコン画像２０１、２０２、２０３、選択スロット画像２０４等が表示される。
【０１０１】
スロットアイコン画像２０１は、第１スロット（主側第１スロット２６ｂ、従側第１スロット３８ｂ）を表すアイコン画像である。スロットアイコン画像２０２は、第２スロット（主側第２スロット２６ｃ、従側第２スロット３８ｃ）を表すアイコン画像である。スロットアイコン画像２０３は、第３スロット（主側第３スロット２６ｄ、従側第３スロット３８ｄ）を表すアイコン画像である。
【０１０２】
選択スロット画像２０４は、複数の従側スロット３８Ｓにそれぞれ記憶された部分アプレットのうち制御部３９によって実行する部分アプレットとして現在選択されている部分アプレットを記憶する従側スロット３８Ｓを表す画像である。
【０１０３】
ここで、上述したように、携帯通信機器連携システムＳ１は、例えば、主携帯通信機器２０の入力部２３や従携帯通信機器３０の操作部３５を介して、複数の従側スロット３８Ｓにそれぞれ記憶された部分アプレットのうち制御部３９によって起動し実行する部分アプレットを選択し切り替えることができると共に、当該従側スロット３８Ｓの部分アプレット選択に連動して、主側スロット２６Ｓのスロットの選択が行われ、対応するスロットのアプレットを起動することができる。選択スロット画像２０４は、言い換えれば、上記のようにして選択されているスロット（従側スロット３８Ｓ、主側スロット２６Ｓ）を表す画像に相当する。
【０１０４】
図７に示す選択スロット画像２０４は、一例として、複数の従側スロット３８Ｓのうち従側基準スロット３８ａ以外の従側スロット３８Ｓを表すスロット画像２０４Ａ、及び、回転軸を中心として回転する指針を表す指針画像２０４Ｂを含む。スロット画像２０４Ａは、従側基準スロット３８ａ以外の従側スロット３８Ｓの数に応じて複数表示される。ここでは、スロット画像２０４Ａは、３つの従側第１スロット３８ｂ、従側第２スロット３８ｃ、従側第３スロット３８ｄにそれぞれ対応する第１スロット画像２０４Ａａ、第２スロット画像２０４Ａｂ、第３スロット画像２０４Ａｃを含む。第１スロット画像２０４Ａａは、従側第１スロット３８ｂを表す画像であり、一例として「１」の文字画像である。第２スロット画像２０４Ａｂは、従側第２スロット３８ｃを表す画像であり、一例として「２」の文字画像である。第３スロット画像２０４Ａｃは、従側第３スロット３８ｄを表す画像であり、一例として「３」の文字画像である。第１スロット画像２０４Ａａ、第２スロット画像２０４Ａｂ、第３スロット画像２０４Ａｃは、指針画像２０４Ｂが表す指針の回転軸を中心とした円弧上の軌跡に沿って間隔をあけて並んで位置する。選択スロット画像２０４は、典型的には、指針画像２０４Ｂによってスロット画像２０４Ａ（第１スロット画像２０４Ａａ、第２スロット画像２０４Ａｂ、第３スロット画像２０４Ａｃ）を指し示すことで現在選択されているスロットを表すことができる。
【０１０５】
典型的には、制御部２７は、現在選択されている部分アプレットを記憶する従側スロット３８Ｓが従側基準スロット３８ａ以外の従側スロット３８Ｓである場合、図７に示すように、ディスプレイ２５Ａに選択スロット画像２０４を表示させ、指針画像２０４Ｂによって対応するスロット画像２０４Ａを指し示す。すなわち、制御部２７は、現在選択されているスロットが従側第２スロット３８ｃ、主側第２スロット２６ｃである場合には、図７に示すように、指針画像２０４Ｂによって、第２スロット画像２０４Ａｂを指し示す。同様に、制御部２７は、現在選択されているスロットが従側第１スロット３８ｂ、主側第１スロット２６ｂである場合には、指針画像２０４Ｂによって第１スロット画像２０４Ａａを指し示す。制御部２７は、現在選択されているスロットが従側第３スロット３８ｄ、主側第３スロット２６ｄである場合には、指針画像２０４Ｂによって、第３スロット画像２０４Ａｃを指し示す。
【０１０６】
一方、制御部２７は、現在選択されている部分アプレットを記憶する従側スロット３８Ｓが従側基準スロット３８ａである場合、図８に示すように、ディスプレイ２５Ａに選択スロット画像２０４を表示させ、指針画像２０４Ｂによってスロット画像２０４Ａ以外を指し示す。図８の例では、制御部２７は、現在選択されているスロットが従側基準スロット３８ａ、主側基準スロット２６ａである場合には、指針画像２０４Ｂによって第２スロット画像２０４Ａｂとは反対側を指し示す。
【０１０７】
この結果、携帯通信機器連携システムＳ１、主携帯通信機器２０、及び、従携帯通信機器３０は、主携帯通信機器２０において、現在選択されてスロットを選択スロット画像２０４によって分かり易く表示することができる。
【０１０８】
続いて、マイアプレット領域２００Ｂは、各スロットにセット可能なアプレットを表す共に、各スロットにアプレットをセットするために操作される領域である。マイアプレット領域２００Ｂは、「Ｍｙ  Ａｐｐｌｅｔ」の文字画像と共に各スロットにセット可能なアプレットを表すアプレットアイコン画像２０５等が表示される。各スロットにセット可能なアプレットとは、例えば、主携帯通信機器２０に既にダウンロード済みのアプレット、自機（主携帯通信機器２０）で作成したアプレット、デフォルトで主携帯通信機器２０に記憶されているアプレット等である。なお、制御部２７は、例えば、マイアプレット領域２００Ｂ内の矢印画像２０６ａに対するタップ操作に応じて当該マイアプレット領域２００Ｂの折り畳み表示／展開表示の切り替えを行うことができる。また、制御部２７は、例えば、マイアプレット領域２００Ｂ内のメニュー画像２０６ｂに対するタップ操作に応じて複数のアプレットアイコン画像２０５をまとめるフォルダ作成、整理等の操作も行うことができる。
【０１０９】
セットアプレット領域２００Ｃは、複数のスロットに一括でセット可能なアプレットグループを表す共に、各スロットにアプレットをセットするために操作される領域である。セットアプレット領域２００Ｃは、「ＧＲＯＵＰ」の文字画像と共に複数のスロットに一括でセット可能なアプレットグループを表すグループアイコン画像２０７等が表示される。複数（ここでは３つ）のスロットに一括でセット可能なアプレットグループとは、複数の主側スロット２６Ｓ、複数の従側スロット３８Ｓに記憶させる主アプレット、部分アプレットの組み合わせを一括で定めたものであり、ユーザによって任意に選択された複数の特定のアプレットをグループ化したものである。制御部２７は、例えば、ユーザからの入力に応じて、予め複数（ここでは３つ）のアプレットの組み合わせをアプレットグループとしてグループ化し、これに応じたグループアイコン画像２０７をユーザからの入力に応じて設定する。セットアプレット領域２００Ｃは、このようにしてグループ化されたアプレットグループのグループアイコン画像２０７が表示される。なお、制御部２７は、例えば、セットアプレット領域２００Ｃ内の矢印画像２０８ａに対するタップ操作に応じて当該セットアプレット領域２００Ｃの折り畳み表示／展開表示の切り替えを行うことができる。また、制御部２７は、例えば、マイアプレット領域２００Ｂ内のメニュー画像２０８ｂに対するタップ操作に応じてアプレットグループの作成、整理等の操作も行うことができる。
【０１１０】
制御部２７は、入力部２３を構成するタッチパネルに対するユーザのタップ動作、フリック動作、スワイプ動作等に応じて、スロット表示領域２００Ａ、マイアプレット領域２００Ｂ、及び、セットアプレット領域２００Ｃが操作されることで、各スロットにアプレットをセットする。制御部２７は、例えば、スロット表示領域２００Ａのスロットアイコン画像２０１、２０２、２０３のいずれかが表すスロットに、マイアプレット領域２００Ｂの任意のアプレットのアプレットアイコン画像２０５を移動する動作が入力されると（例えば、図７中の矢印参照）、当該スロットに対して、当該移動されたアプレットアイコン画像２０５に対応するアプレットをセットする。また、制御部２７は、例えば、セットアプレット領域２００Ｃの任意のアプレットグループのグループアイコン画像２０７に対するタップ操作に応じて当該アプレットグループに含まれる複数のアプレットのアプレットアイコン画像２０５をそれぞれスロットアイコン画像２０１、２０２、２０３に自動で移動し、各スロットに対して、当該アプレットアイコン画像２０５に対応するアプレットを一括でセットする。
【０１１１】
携帯通信機器連携システムＳ１、主携帯通信機器２０、及び、従携帯通信機器３０は、このようにして、選択画面２００を介して、各スロット（主側スロット２６Ｓ、従側スロット３８Ｓ）に、ユーザが任意に選択したアプレット（主アプレット、部分アプレット）をセットすることができる。
【０１１２】
＜変形例の付加的事項１：通信不能状態でのアプレット設定＞
制御部２７は、主携帯通信機器２０と従携帯通信機器３０とが通信部２２及び通信部３２を介して通信不能な状態であっても上記のような各スロットへのアプレット設定を実行可能である。この場合、制御部２７は、主携帯通信機器２０と従携帯通信機器３０とが通信部２２及び通信部３２を介して通信不能な状態で、上記のようにスロットに対してアプレットが設定され、主側スロット２６Ｓに主アプレットが格納された場合、主携帯通信機器２０と従携帯通信機器３０とが通信部２２及び通信部３２を介して通信可能となった際に、通信不能な状態で主側スロット２６Ｓに格納された主アプレットに応じた部分アプレットを一括で従携帯通信機器３０に送信するようにすればよい。この結果、携帯通信機器連携システムＳ１、主携帯通信機器２０、及び、従携帯通信機器３０は、主携帯通信機器２０と従携帯通信機器３０とが通信不能な状態であっても、各スロット（主側スロット２６Ｓ、従側スロット３８Ｓ）に、ユーザが任意に選択したアプレット（主アプレット、部分アプレット）をセットすることができる。
【０１１３】
なお、制御部２７は、主携帯通信機器２０と従携帯通信機器３０とが通信部２２及び通信部３２を介して通信可能な状態で、上記のようにスロットに対してアプレットが設定され、主側スロット２６Ｓに主アプレットが格納された場合には、都度、当該格納された主アプレットに応じた部分アプレットを従携帯通信機器３０に送信してもよいし、複数（ここでは３つ）の主側スロット２６Ｓにすべて主アプレットが格納された時点で一括して当該各主アプレットに応じた部分アプレットを従携帯通信機器３０に送信してもよい。
【０１１４】
＜変形例の付加的事項２：通信状態の表示１＞
制御部２７は、例えば、スロット表示領域２００Ａの選択スロット画像２０４を用いて、主携帯通信機器２０と従携帯通信機器３０との通信状態を表示することもできる。制御部２７は、例えば、主携帯通信機器２０と従携帯通信機器３０とが通信部２２及び通信部３２を介して通信可能な状態である場合、ディスプレイ２５Ａに選択スロット画像２０４を表示させることで、主携帯通信機器２０と従携帯通信機器３０とが通信可能な状態であることを表す（図７、図８参照）。一方、制御部２７は、例えば、主携帯通信機器２０と従携帯通信機器３０とが通信部２２及び通信部３２を介して通信不能な状態である場合、ディスプレイ２５Ａに選択スロット画像２０４を表示させないことで、主携帯通信機器２０と従携帯通信機器３０とが通信不能な状態であることを表す（図９参照）。この構成により、携帯通信機器連携システムＳ１、主携帯通信機器２０、及び、従携帯通信機器３０は、選択スロット画像２０４の表示状態によって、主携帯通信機器２０と従携帯通信機器３０との通信状態を適正に報知することができる。
【０１１５】
＜変形例の付加的事項３：通信状態の表示２＞
制御部２７は、主携帯通信機器２０から従携帯通信機器３０に部分アプレットを送信している状態である場合に、例えば、図１０に例示するように、選択画面２００において、アプレットを送信中であることを表す通信中画像２０９を表示させることができる。通信中画像２０９は、例えば、スロットアイコン画像２０１、２０２、２０３に重畳されて表示される画像であり、図１０の例では、例えば、「白色の途切れた矢印マーク」を模した画像である。制御部２７は、主携帯通信機器２０から従携帯通信機器３０に部分アプレットを送信している状態である場合、例えば、選択画面２００において、送信中の部分アプレットを記憶するスロットに対応するスロットアイコン画像２０１、２０２、２０３をグレー表示する。その上で、制御部２７は、当該スロットアイコン画像２０１、２０２、２０３に重畳させて通信中画像２０９を表示させる。そして、制御部２７は、従携帯通信機器３０への部分アプレットの送信が完了すると、当該通信中画像２０９を非表示とする。これにより、携帯通信機器連携システムＳ１、主携帯通信機器２０、及び、従携帯通信機器３０は、選択画面２００において、主携帯通信機器２０から従携帯通信機器３０に部分アプレットを送信中であることを報知することができる。
【０１１６】
なお、通信中画像２０９は、「白色の途切れた矢印マーク」を模した画像に限らず、例えば、「時計マーク」などを模した作業中であることを示す画像等であってもよい。また、制御部２７は、通信中画像２０９をアニメーション表示するようにしてもよい。この場合、制御部２７は、例えば、図１１に示すように、通信中画像２０９が表す「白色の途切れた矢印マーク」を、当該矢印マークの中心軸線（図１１では上下方向に沿った軸線）周りに３次元的に回転させることや、矢印マークの大きさを小さくした後に大きくする表示を周期的に繰り返すこと等によりアニメーション表示を行うようにしてもよい。この場合、制御部２７は、通信中画像２０９が表す「白色の途切れた矢印マーク」の回転速度、または大きさを変化させる周期等によって送信の進捗度合、通信状況等を表すようにしてもよい。また、制御部２７は、例えば、通信中画像２０９が表す「白色の途切れた矢印マーク」をグラデーション表示し、当該グラデーション表示が矢印マークの上下方向に周期的に変化させることでアニメーション表示を行うようにしてもよい。この場合、制御部２７は、通信中画像２０９が表す「白色の途切れた矢印マーク」のグラデーション表示の変化割合、変化周期等によって送信の進捗度合、通信状況等を表すようにしてもよい。これにより、携帯通信機器連携システムＳ１、主携帯通信機器２０、及び、従携帯通信機器３０は、選択画面２００において、主携帯通信機器２０から従携帯通信機器３０に部分アプレットを送信中であることをより分かり易く報知することができる。
【０１１７】
また、制御部２７は、選択画面２００において、例えば、図１２に示すように、現在選択されアプレットが実行されているスロット（主側スロット２６Ｓ、従側スロット３８Ｓ）を表すスロットアイコン画像２０１、２０２、２０３に近接させて、主携帯通信機器２０から従携帯通信機器３０に部分アプレットの送信が完了したことを表す送信完了アプレット画像２１０を表示させることができる。この場合、例えば、送信完了アプレット画像２１０の点灯により、主携帯通信機器２０から従携帯通信機器３０に部分アプレットの送信が完了していることを表し、送信完了アプレット画像２１０の点滅により、部分アプレットを送信中であることを表しても良い。これにより、携帯通信機器連携システムＳ１、主携帯通信機器２０、及び、従携帯通信機器３０は、主携帯通信機器２０において、現在選択されているスロットを送信完了アプレット画像２１０によってさらに分かり易く表示することができる。
【０１１８】
また、制御部２７は、選択画面２００において、例えば、主携帯通信機器２０から従携帯通信機器３０への部分アプレットの送信が未完了であるスロット（主側スロット２６Ｓ、従側スロット３８Ｓ）を表す送信未完了画像（例えば、「禁止マーク」や「罰点マーク」を模した画像）を、スロットアイコン画像２０１、２０２、２０３に重畳または近接させて表示させるようにしてもよい。また、制御部２７は、例えば、主携帯通信機器２０から従携帯通信機器３０への部分アプレットの送信が通信状況等により途中で失敗した場合、同様に、送信未完了画像を表示させるようにしてもよい。この場合、制御部２７は、例えば、通信状況が回復し、再度、主携帯通信機器２０と従携帯通信機器３０とが通信可能な状態となった際に、部分アプレットを再送信するようにすればよい。
【０１１９】
本実施形態に係る携帯通信機器連携システム、主携帯通信機器、及び、従携帯通信機器は、以上で説明した実施形態、変形例の構成要素を適宜組み合わせることで構成してもよい。
【符号の説明】
【０１２０】
３  指針（アクション実行部）
５  日板（アクション実行部）
１０  外部機器
２０  主携帯通信機器
２２  通信部（主側通信部、アクション実行部）
２３  入力部（切替操作部、トリガ生成部）
２４  検出部（トリガ生成部）
２５  出力部（アクション実行部）
２５Ａ  ディスプレイ（表示部）
２６  記憶部（主側記憶部）
２６Ｓ  主側スロット
２７  制御部（主側制御部）
３０  従携帯通信機器（ウェアラブル機器）
３０Ａ  電子時計（ウェアラブル機器、アナログ電子時計）
３２  通信部（従側通信部、アクション実行）
３３  計時部（トリガ生成部）
３４  駆動部（アクション実行部）
３５  操作部（切替操作部、トリガ生成部）
３６  検出部（トリガ生成部）
３７  出力部（アクション実行部）
３８  記憶部（従側記憶部）
３８Ｓ  従側スロット
３８ａ  従側基準スロット（基準スロット）
３９  制御部（従側制御部）
Ｓ１  携帯通信機器連携システム
【図１】
2020010312.tif 000003
【図２】
2020010312.tif 000004
【図３】
2020010312.tif 000005
【図４】
2020010312.tif 000006
【図５】
2020010312.tif 000007
【図６】
2020010312.tif 000008
【図７】
2020010312.tif 000009
【図８】
2020010312.tif 000010
【図９】
2020010312.tif 000011
【図１０】
2020010312.tif 000012
【図１１】
2020010312.tif 000013
【図１２】
2020010312.tif 000014